(57)【要約】【目的】  暖房方法・装置、並びに、暖房機能付きの表示装置、表示パネル、及びスクリーンを提供する。【構成】  画面を表示するための画面表示部と赤外線を発生させるための赤外線発生部とを備え、前記画面表示部の表示面と略平行で対向するスペースから、前記赤外線発生部からの赤外線をユーザーの方向に放射できるように構成されている、暖房装置、並びに、これに使用される表示パネル、及びスクリーンである。また、表示装置の画面を表示するための画面表示部のユーザー側又はユーザーと反対側から暖房用の赤外線を発生する赤外線発生ステップと、前記暖房用の赤外線を、前記表示面と略平行な面状に拡散させ、さらにこの面状に拡散された赤外線を、ユーザー方向に向けて供給する赤外線放出ステップと、を含むことを特徴とする暖房方法である。【選択図】    図１Ａ
2005337697.tif 000002
【特許請求の範囲】
【請求項１】
「映像などの画面を表示するための画面表示部の表示面と略平行でこれと対向又は接触する『面』」を有する部材（例えば、シート状又はフィルム状の部材）に供給されるべき赤外線を発生する赤外線発生ステップと、
前記の発生された赤外線を、前記部材の前記「面」の一部又は全部に拡散させ（例えば、シート状又はフィルム状の部材の略全面に拡散させ）、この拡散された赤外線を、暖房用の赤外線として、ユーザーの居る方向に向けて放出する赤外線放出ステップと、
を含むことを特徴とする、暖房方法。
【請求項２】
「映像などの画面を表示するための画面表示部の表示面と略平行でこれと対向又は接触する『面』」を有する部材（例えば、シート状又はフィルム状の部材）の一部又は全部から（例えば、シート状又はフィルム状の部材の略全体から）赤外線を発生する赤外線発生ステップと、
前記の発生された赤外線を、前記部材の前記「面」の一部又は全部から、暖房用の赤外線として、ユーザーの居る方向に向けて放出する赤外線放出ステップと、
を含むことを特徴とする、暖房方法。
【請求項３】
請求項１において、
前記赤外線発生ステップは、前記画面表示部が何らかの画面を表示しているとき、赤外線を発生するものであり、
さらに、前記赤外線発生ステップにより赤外線を発生している場合に、前記画面表示が画面を表示することを停止したとき、赤外線を発生することを停止する赤外線発生停止ステップを含むことを特徴とする暖房方法。
【請求項４】
請求項２において、
前記赤外線発生ステップは、前記画面表示部が何らかの画面を表示しているとき、赤外線を発生するものであり、
さらに、前記赤外線発生ステップにより赤外線を発生している場合に、前記画面表示が画面を表示することを停止したとき、赤外線を発生することを停止する赤外線発生停止ステップ、を含むことを特徴とする暖房方法。
【請求項５】
「映像などの画面を表示するための画面表示部の表示面と略平行でこれと対向又は接触する『面』」を有する部材（例えば、シート状又はフィルム状の部材）に供給されるべき赤外線を発生する（赤外線を前記画面表示部が画面を表示しているとき又は表示していないときに発生する）ための赤外線発生部と、
前記赤外線発生部により発生された赤外線を、前記「面」の一部又は全部に拡散させ（例えば、シート状又はフィルム状の部材の略全面に拡散させ）、この拡散された赤外線を、暖房用の赤外線として、前記「面」の一部又は全部からユーザーの居る方向に向けて放出するための赤外線放出部と、
を備えたことを特徴とする、暖房装置。
【請求項６】
「映像などの画面を表示するための画面表示部の表示面と略平行でこれと対向又は接触する『面』」を有する透明な赤外線放出部であって、前記画面表示部のユーザー側に配置され、（前記画面表示部が画面を表示しているとき又は表示していないときに）前記「面」の一部又は全部から（例えば、シート状又はフィルム状の部材の略全面から）、暖房用の赤外線を、ユーザーの居る方向に向けて放出するための透明な赤外線放出部、を備えたことを特徴とする、暖房装置。
【請求項７】
請求項６において、
前記透明な赤外線放出部は、外部の赤外線発生部から供給された赤外線を、前記「面」の一部又は全部に拡散し（例えば、シート状又はフィルム状の部材の略全面に拡散し）、この拡散した赤外線を、暖房用の赤外線として、前記「面」の一部又は全部からユーザーの居る方向に向けて放出するための透明な導光板を含むものである、ことを特徴とする、暖房装置。
【請求項８】
請求項６において、
前記透明な赤外線放出部は、
前記画面表示部のユーザーに近い側に前記表示面と対向又は接触するように配置され、自らがその一部又は全部から（例えば、シート状又はフィルム状の部材の略全面から）、暖房用の赤外線を発生し、これを前記「面」の一部又は全部からユーザーの居る方向に向けて放射するための面状の（例えば、シート状又はフィルム状の）透明な赤外線放射体と、
前記赤外線放射体と対向又は接触するように配置され、前記赤外線放射体を加熱するための面状の（例えば、シート状又はフィルム状の）透明な発熱体（透明ヒーター）と、
を備えている、ことを特徴とする、暖房装置。
【請求項９】
請求項６において、
前記透明な赤外線放出部は、
導電性を有しており、外部から供給される電流により自らが発熱し、この発熱により、自らがその一部又は全部から暖房用の赤外線を発生し、これを前記「面」の一部又は全部からユーザーの居る方向に向けて放射するための、面状の（例えば、シート状又はフィルム状の）透明な赤外線放射体、により構成されている、ことを特徴とする、暖房装置。
【請求項１０】
画面を表示するための表示装置に備えられた表示パネルのユーザー側に配置され、前記表示パネルに向けて赤外線を放出するための赤外線放出部と、
「前記表示パネルの表示面と略平行でこれと対向又は接触する『面』」を有しており、前記表示パネルのユーザー側に前記表示パネルの表示面と対向又は接触するように配置され、前記表示パネルが画面を表示しているとき又は表示していないとき、前記赤外線放出部からの赤外線を前記「面」の一部又は全部で受けて、それを暖房用の赤外線としてユーザーの居る方向に向けて反射させるための透明な反射部と、
を備えたことを特徴とする、暖房装置。
【請求項１１】
画像を表示するためのスクリーンのユーザーに近い側又はユーザーと反対側に設置された画像投射部であって前記スクリーンに向けて画像を投射するための画像投射部と、
前記スクリーンの前面側すなわち前記スクリーンよりユーザーに近い側に配置され、（前記スクリーンに画面が表示されているとき又は表示されていないときに）前記スクリーンに向けて赤外線を放出するための赤外線放出部と、
「前記スクリーンと略平行でこれと対向又は接触する『面』」を有しており、前記スクリーンのユーザー側に前記スクリーンと対向又は接触するように配置され、前記画像投射部から画像が投射されているとき又は投射されていないとき、前記赤外線放射部からの赤外線を前記「面」の一部又は全部で受けて、それを暖房用の赤外線としてユーザーの居る方向に向けて反射させるための反射部と、
を備えたことを特徴とする、暖房装置。
【請求項１２】
画面を表示するための表示パネルと、
前記表示パネルのユーザーと反対側に配置された、赤外線を放出するための赤外線放出部と、を備え、
前記表示パネルは、画像を表示しているとき又は画像を表示していないとき、前記赤外線放射部からの赤外線を、暖房用の赤外線として、ユーザーの居る方向に透過できるように構成されている、ことを特徴とする、暖房機能付き表示装置。
【請求項１３】
画像を表示するためのスクリーンと、
前記スクリーンの背面側すなわち前記スクリーンのユーザーと反対側から前記スクリーンに向けて画像を投射するための画像投射部と、
前記スクリーンの背面側すなわち前記スクリーンのユーザーと反対側の位置に設置された、赤外線を放出するための赤外線放出部と、を備え、
前記スクリーンは、前記表示投射部から画像が投射されているとき又は投射されていないとき、前記赤外線放射部からの赤外線を、暖房用の赤外線として、ユーザーの居る方向に透過させることができるように構成されている、ことを特徴とする、暖房機能付き表示装置。
【請求項１４】
画像などの画面を表示するための表示パネルであって、
赤外線をユーザーの居る方向に向けて反射させるための透明な反射部であって、「前記表示パネルの表示面と略平行でこれと対向又は接触する『面』」を有しており、前記表示パネルのユーザー側に前記表示パネルの表示面と対向又は接触するように配置され、前記表示パネルが画面を表示しているとき又は表示していないとき、前記表示パネルのユーザー側に配置された赤外線放出部からの赤外線を前記「面」の一部又は全部で受けて、それを暖房用の赤外線としてユーザーの居る方向に反射できるように構成された透明な反射部、
を含むことを特徴とする暖房機能付き表示パネル。
【請求項１５】
画像などの画面を表示するためのスクリーンであって、
赤外線をユーザーの居る方向に向けて反射させるための反射部であって、「前記スクリーンと略平行でこれと対向又は接触する『面』」を有しており、前記スクリーンのユーザー側に前記スクリーンと対向又は接触するように配置され、前記スクリーンが画像を表示しているとき又は表示していないとき、前記スクリーンのユーザー側に配置された赤外線放射部からの赤外線を前記「面」の一部又は全部で受けて、それを暖房用の赤外線としてユーザーの居る方向に反射できるように構成された反射部、
を含むことを特徴とする暖房機能付きスクリーン。
【請求項１６】
請求項６から１５までのいずれかにおいて、
前記赤外線発生部、前記赤外線放出部、又は前記赤外線放射体は、前記画面表示部が何らかの画面を表示しているときだけ赤外線を発生、放出又は放射するように構成されている、ことを特徴とする暖房装置。
【請求項１７】
請求項６から１５までのいずれかにおいて、
前記赤外線発生部、前記赤外線放出部、又は前記赤外線放射体は、赤外線を発生、放出又は放射している場合でも、前記画面表示部が画面の表示を停止したときは、自動的に赤外線の発生、放出又は放射を停止するように構成されている、ことを特徴とする暖房装置。
【請求項１８】
請求項６から１５までのいずれかにおいて、
前記の画面表示部、表示パネル又はスクリーンが画面を表示しているかどうかを検知するための画面検知手段と、
前記画面検知手段からの出力に基づいて前記赤外線発生部、前記赤外線放出部、又は前記赤外線放射体による赤外線の「発生、放出又は放射」又はその停止を制御するための制御手段と、
を備えたことを特徴とする暖房装置。
【請求項１９】
請求項６から１５までのいずれかにおいて、
「前記の画面表示部、表示パネル又はスクリーン」又はこれらの画面を視聴するユーザーの周辺の温度を検出するための温度検出手段と、
前記温度検出手段からの出力に基づいて前記赤外線発生部、前記赤外線放出部、又は前記赤外線放射体による赤外線の「発生、放出又は放射」又はその停止を制御するための制御手段と、
を備えたことを特徴とする暖房装置。
【請求項２０】
請求項６から１５までのいずれかにおいて、
ユーザーが手元で前記の画面表示部、表示パネル又は画像投射部に対する制御情報を近赤外線により無線送信できるリモートコントーラを備え、
前記赤外線発生部、前記赤外線放出部、又は前記赤外線放射体は、主として遠赤外線をユーザー方向に放出し、近赤外線は全く又はほとんど放出しないように構成されている、ことを特徴とする、暖房装置。
【請求項２１】
請求項６から１５までのいずれかにおいて、
ユーザーが手元で前記の画面表示部、表示パネル又は画像投射部に対する制御情報を電波により無線送信できるリモートコントーラを備え、
前記赤外線発生部、前記赤外線放出部、又は前記赤外線放射体は、遠赤外線と近赤外線の両方を放出するものである、ことを特徴とする、暖房装置。
【請求項２２】
請求項６から１５までのいずれかにおいて、
ユーザーが手元で前記の画面表示部、表示パネル又は画像投射部に対する制御情報を近赤外線により無線送信できるリモートコントーラを備え、
前記反射部は、遠赤外線を主として反射し、近赤外線は全く又はほとんど反射させないように構成されている、ことを特徴とする、暖房装置。
【請求項２３】
請求項６から１５までのいずれかにおいて、
ユーザーが手元で前記の画面表示部、表示パネル又は画像投射部に対する制御情報を電波により無線送信できるリモートコントーラを備え、
前記反射部は、遠赤外線と近赤外線の両方を反射するものである、ことを特徴とする、暖房装置。
【発明の詳細な説明】
【技術分野】
【０００１】
本発明は、テレビ番組などの画面を表示するための表示装置に関し、特に暖房機能付きの表示装置、表示パネル、及びスクリーンに関する。また、本発明は、表示装置を利用した暖房方法に関する。
【背景技術】
【０００２】
住宅の居間などに設置されるテレビは、最近のデジタル放送（ハイビジョン放送）、ＨＤＴＶ（Ｈｉｇｎ  Ｄｉｆｉｎｉｔｉｏｎ  Ｔｅｌｅｖｉｓｉｏｎ）、ＤＶＤ映像などの高画質・高精彩な画像を表示しやすいように画面が大型化・広面積化している。「直視型」と言われるテレビの表示方式では、従来のＣＲＴ（ブラウン管）だけでなく、液晶表示、プラズマディスプレイ、有機ＥＬディスプレイ、ＦＥＤ（フィールド・エミッション・ディスプレイ）などが実用化又は研究されている。また、「背面投射型」（スクリーンの背後の小型映写機から画像をスクリーンに投射する方式）と言われるテレビの表示方式では、液晶投射型、ＤＬＰ（Ｄｉｇｉｔａｌ  Ｌｉｇｈｔ  Ｐｒｏｃｅｓｓｉｎｇ）型（微細な鏡をシリコンチップに配置したデジタルミラーデバイス（ＤＭＤ）を使用するもの）、反射型液晶（ＬＣＯＳ）型、などが実用化されている。さらに、業務用又は家庭用のホームシアター用として、スクリーンの前面側すなわちユーザー側に配置された映写機（フロント・プロジェクター）からスクリーンに画像を投射する、フロント・プロジェクター方式の表示装置も市販されている。
【０００３】
他方、表示装置に関する従来技術を見ると、特許文献１は、「テレビの排熱を排熱パイプ６とファン５により室内に放出することにより、テレビに暖房作用を持たせる」というアイデアを提案している。しかしながら、特許文献１は、単に、「テレビからの排熱を暖房に利用する」というだけであり、「テレビ受像機などに備えられた広面積の表示面のスペースを利用して暖房する」という発想は、全く記載も示唆もされていない。
【０００４】
また、特許文献２は、「温暖感又は冷涼感を演出する映像を表示する受像機と冷暖房機からの冷暖気を吹き出す吹き出し口とを一つのキャビネットに一体的に構成して成る室内ユニット」を提案している。しかしながら、特許文献２は、単に、「冷暖気の吹き出し口と受像機とを一つのキャビネット内に構成する」というだけ（２つの要素の単なる寄せ集め）であり、「テレビ受像機などに備えられた広面積の表示面のスペースを利用して暖房する」という発想は、全く記載も示唆もされていない。
【０００５】
また、特許文献３は、「炎の燃焼状態を録画した映像を表示させて暖かいイメージをユーザーに抱かせる」というアイデアを提案している。しかしながら、このアイデアは、単に「（炎の燃焼状態を録画した映像による）暖かいイメージ」をユーザーに与えるというだけで、「実際の暖房」を画像の表示面（例えば表示面のスペース）を利用してユーザーに提供するというもの、ではない。また、特許文献３は、「ディスプレイ装置と暖房機能（蓄熱暖房器、電気ストーブ、温風ヒーターなど）とを組み合わせる」というアイデアも提案している。しかしながら、このアイデアの具体的内容は、特許文献３の図１Ａ及び図２に示すように、「一つの筐体の上段に炎の燃焼状態の映像を表示するディスプレイ装置（ビデオ内蔵ＴＶ４）を設置し、前記筐体の下段にファンヒーター収納スペース２を設置し、前記筐体の側面に放熱口１を設けて成るストーブ」というものである。このようなアイデアは、上記の特許文献２の提案するアイデアと同様のものに過ぎない。よって、特許文献３には、「テレビ受像機などに備えられた広面積の表示面のスペースを利用して暖房する」という発想は、全く記載も示唆もされていない。
【０００６】
特許文献４は、「部屋の天井面や壁面などに設置される遠赤外線反射面１６であって、遠赤外線反射塗料などの遠赤外線反射材料から成る遠赤外線反射面１６」（特許文献４の図１Ａ、図３Ａ、図４Ａ、及び図５参照）を開示している。また、特許文献５は、「天井面や壁面などに設置され、赤外線放射源（赤外線ランプ、ハロゲンランプ、赤外線放射電気ヒーターなど）から放射された赤外線を受けて遠赤外線を再放射するための遠赤外線放射パネル７，８，２５，２６，３５，３６であって、遠赤外線を放射するための薄膜状のセラミックス（遠赤外線放射物質）層が設けられた遠赤外線放射パネル７，８，２５，２６，３５，３６」（特許文献５の図１Ａ、図３Ａ、及び図４Ａ参照）を開示している。しかしながら、特許文献４の「遠赤外線反射面」及び特許文献５の「遠赤外線放射パネル」は、いずれも、単に、「赤外線発生源からの赤外線を受けて遠赤外線をユーザー方向に反射・再放射する」というものに過ぎない。よって、特許文献４及び特許文献５には、「テレビ受像機などに備えられた広面積の表示面のスペースを利用して暖房する」という発想は、全く記載も示唆もされていない。
【０００７】
さらに、特許文献６は、「電力を受けて発熱することにより近赤外線及び可視光線を放射するフィラメント４１１と、近赤外線及び可視光線を良く透過する管状の石英バルブ４１２と、石英バルブ４１２の外周部分にコーティングされたセラミック４１４であって広い波長領域にわたる赤外線を多量に放射する高効率放射セラミック４１４とを備えた棒状の遠赤外線ハロゲンランプ４１」（特許文献６の図４Ａ参照）が開示されている。前記の遠赤外線ハロゲンランプ４１では、前記フィラメント４１１から発生されて前記石英バルブ４１２を透過した近赤外線が、前記石英バルブ４１２の表面にコーティングされた高効率放射セラミック４１４を加熱し、これにより前記高効率放射セラミック４１４から遠赤外線が高効率に放射されるようになっている（特許文献６の段落００１９参照）。しかしながら、特許文献６は、単に、「フィラメント４１１からの近赤外線により加熱されることにより高効率に遠赤外線を放射する高効率放射セラミック４１４」を開示するものに過ぎない。よって、特許文献６には、「テレビ受像機などに備えられた広面積の表示面のスペースを利用して暖房する」という発想は、全く記載も示唆もされていない。
【特許文献１】特開昭５１−４８９２２号公報
【特許文献２】特開平１１−２２３３４５号公報
【特許文献３】特開２００２−１２３２０６号公報
【特許文献４】特開２０００−８８２５７号公報
【特許文献５】特開平６−２８８５５７号公報
【特許文献６】特開平７−１３９７４３号公報
【発明の開示】
【発明が解決しようとする課題】
【０００８】
前述のように、最近は、テレビの表示面が大型化・広面積化している。その結果、最近は、ユーザーが室内における家具などのレイアウトを考えるとき、「ユーザーから見て水平方向のスペース（床面のスペース）をテレビの表示面が大きく侵食してしまうために、室内の家具などのレイアウトに大きな制約を与えてしまうという問題」よりも、むしろ、「ユーザーから見て垂直方向（建物の内壁面と平行な方向）のスペースをテレビなどの表示面が大きく侵食してしまうために、室内の家具などのレイアウトに大きな制約を与えてしまうという問題」の方が、より重要となっている。このような観点からは、大型化・広面積化したテレビなどの表示装置の表示面を、単に画面表示のためだけでなく、室内の居住者の利便性を高めるために（例えば暖房のために）利用するという発想が大切になると本発明者は考える。しかしながら、従来は、このような問題の解決策が家電メーカーなどから提案された例は、本発明者が知る限り皆無である。
【０００９】
本発明は、最近のテレビなどの表示装置の表示面が大型化・広面積化していることから生じている「ユーザーから見て垂直方向（建物の内壁面と平行な方向）のスペースをテレビなどの表示面が大きく侵食してしまうために、室内の家具などのレイアウトに大きな制約を与えてしまうという問題」を解決することができる、暖房方法・装置、暖房機能付きの表示装置、表示パネル、及びスクリーンを提供することを目的とする。
【００１０】
すなわち、本発明は、例えば透明素材を使用することにより、テレビなどの表示装置の表示面の本来の機能を損なうことなく、テレビなどの表示装置の表示面のユーザーから見て垂直方向のスペースを有効に活用して赤外線暖房を効率的に行うことができる、暖房方法・装置、暖房機能付きの表示装置、表示パネル、及びスクリーンを提供することを目的とする。
【課題を解決するための手段】
【００１１】
１．「映像などの画面を表示するための画面表示部の表示面と略平行でこれと対向又は接触する『面』」を有する部材（例えば、シート状又はフィルム状の部材）に供給されるべき赤外線を発生する赤外線発生ステップと、前記の発生された赤外線を、前記部材の前記「面」の一部又は全部に拡散させ（例えば、シート状又はフィルム状の部材の略全面に拡散させ）、この拡散された赤外線を、暖房用の赤外線として、ユーザーの居る方向に向けて放出する赤外線放出ステップと、を含むことを特徴とする、暖房方法。
【００１２】
２．「映像などの画面を表示するための画面表示部の表示面と略平行でこれと対向又は接触する『面』」を有する部材（例えば、シート状又はフィルム状の部材）の一部又は全部から（例えば、シート状又はフィルム状の部材の略全体から）赤外線を発生する赤外線発生ステップと、前記の発生された赤外線を、前記部材の前記「面」の一部又は全部から、暖房用の赤外線として、ユーザーの居る方向に向けて放出する赤外線放出ステップと、を含むことを特徴とする、暖房方法。
【００１３】
３．上記１において、前記赤外線発生ステップは、前記画面表示部が何らかの画面を表示しているとき、赤外線を発生するものであり、さらに、前記赤外線発生ステップにより赤外線を発生している場合に、前記画面表示が画面を表示することを停止したとき、赤外線を発生することを停止する赤外線発生停止ステップを含むことを特徴とする暖房方法。
【００１４】
４．上記２において、前記赤外線発生ステップは、前記画面表示部が何らかの画面を表示しているとき、赤外線を発生するものであり、さらに、前記赤外線発生ステップにより赤外線を発生している場合に、前記画面表示が画面を表示することを停止したとき、赤外線を発生することを停止する赤外線発生停止ステップ、を含むことを特徴とする暖房方法。
【００１５】
５．「映像などの画面を表示するための画面表示部の表示面と略平行でこれと対向又は接触する『面』」を有する部材（例えば、シート状又はフィルム状の部材）に供給されるべき赤外線を発生する（赤外線を前記画面表示部が画面を表示しているとき又は表示していないときに発生する）ための赤外線発生部と、前記赤外線発生部により発生された赤外線を、前記「面」の一部又は全部に拡散させ（例えば、シート状又はフィルム状の部材の略全面に拡散させ）、この拡散された赤外線を、暖房用の赤外線として、前記「面」の一部又は全部からユーザーの居る方向に向けて放出するための赤外線放出部と、を備えたことを特徴とする、暖房装置。
【００１６】
６．「映像などの画面を表示するための画面表示部の表示面と略平行でこれと対向又は接触する『面』」を有する透明な赤外線放出部であって、前記画面表示部のユーザー側に配置され、（前記画面表示部が画面を表示しているとき又は表示していないときに）前記「面」の一部又は全部から（例えば、シート状又はフィルム状の部材の略全面から）、暖房用の赤外線を、ユーザーの居る方向に向けて放出するための透明な赤外線放出部、を備えたことを特徴とする、暖房装置。
【００１７】
７．上記６において、前記透明な赤外線放出部は、外部の赤外線発生部から供給された赤外線を、前記「面」の一部又は全部に拡散し（例えば、シート状又はフィルム状の部材の略全面に拡散し）、この拡散した赤外線を、暖房用の赤外線として、前記「面」の一部又は全部からユーザーの居る方向に向けて放出するための透明な導光板を含むものである、ことを特徴とする、暖房装置。
【００１８】
８．上記６において、前記透明な赤外線放出部は、前記画面表示部のユーザーに近い側に前記表示面と対向又は接触するように配置され、自らがその一部又は全部から（例えば、シート状又はフィルム状の部材の略全面から）、暖房用の赤外線を発生し、これを前記「面」の一部又は全部からユーザーの居る方向に向けて放射するための面状の（例えば、シート状又はフィルム状の）透明な赤外線放射体と、前記赤外線放射体と対向又は接触するように配置され、前記赤外線放射体を加熱するための面状の（例えば、シート状又はフィルム状の）透明な発熱体（透明ヒーター）と、を備えている、ことを特徴とする、暖房装置。
【００１９】
９．上記６において、前記透明な赤外線放出部は、導電性を有しており、外部から供給される電流により自らが発熱し、この発熱により、自らがその一部又は全部から暖房用の赤外線を発生し、これを前記「面」の一部又は全部からユーザーの居る方向に向けて放射するための、面状の（例えば、シート状又はフィルム状の）透明な赤外線放射体、により構成されている、ことを特徴とする、暖房装置。
【００２０】
１０．画面を表示するための表示装置に備えられた表示パネルのユーザー側に配置され、前記表示パネルに向けて赤外線を放出するための赤外線放出部と、「前記表示パネルの表示面と略平行でこれと対向又は接触する『面』」を有しており、前記表示パネルのユーザー側に前記表示パネルの表示面と対向又は接触するように配置され、前記表示パネルが画面を表示しているとき又は表示していないとき、前記赤外線放出部からの赤外線を前記「面」の一部又は全部で受けて、それを暖房用の赤外線としてユーザーの居る方向に向けて反射させるための透明な反射部と、を備えたことを特徴とする、暖房装置。
【００２１】
１１．画像を表示するためのスクリーンのユーザーに近い側又はユーザーと反対側に設置された画像投射部であって前記スクリーンに向けて画像を投射するための画像投射部と、前記スクリーンの前面側すなわち前記スクリーンよりユーザーに近い側に配置され、（前記スクリーンに画面が表示されているとき又は表示されていないときに）前記スクリーンに向けて赤外線を放出するための赤外線放出部と、「前記スクリーンと略平行でこれと対向又は接触する『面』」を有しており、前記スクリーンのユーザー側に前記スクリーンと対向又は接触するように配置され、前記画像投射部から画像が投射されているとき又は投射されていないとき、前記赤外線放射部からの赤外線を前記「面」の一部又は全部で受けて、それを暖房用の赤外線としてユーザーの居る方向に向けて反射させるための反射部と、を備えたことを特徴とする、暖房装置。
【００２２】
１２．画面を表示するための表示パネルと、前記表示パネルのユーザーと反対側に配置された、赤外線を放出するための赤外線放出部と、を備え、前記表示パネルは、画像を表示しているとき又は画像を表示していないとき、前記赤外線放射部からの赤外線を、暖房用の赤外線として、ユーザーの居る方向に透過できるように構成されている、ことを特徴とする、暖房機能付き表示装置。
【００２３】
１３．画像を表示するためのスクリーンと、前記スクリーンの背面側すなわち前記スクリーンのユーザーと反対側から前記スクリーンに向けて画像を投射するための画像投射部と、前記スクリーンの背面側すなわち前記スクリーンのユーザーと反対側の位置に設置された、赤外線を放出するための赤外線放出部と、を備え、前記スクリーンは、前記表示投射部から画像が投射されているとき又は投射されていないとき、前記赤外線放射部からの赤外線を、暖房用の赤外線として、ユーザーの居る方向に透過させることができるように構成されている、ことを特徴とする、暖房機能付き表示装置。
【００２４】
１４．画像などの画面を表示するための表示パネルであって、赤外線をユーザーの居る方向に向けて反射させるための透明な反射部であって、「前記表示パネルの表示面と略平行でこれと対向又は接触する『面』」を有しており、前記表示パネルのユーザー側に前記表示パネルの表示面と対向又は接触するように配置され、前記表示パネルが画面を表示しているとき又は表示していないとき、前記表示パネルのユーザー側に配置された赤外線放出部からの赤外線を前記「面」の一部又は全部で受けて、それを暖房用の赤外線としてユーザーの居る方向に反射できるように構成された透明な反射部、を含むことを特徴とする暖房機能付き表示パネル。
【００２５】
１５．画像などの画面を表示するためのスクリーンであって、赤外線をユーザーの居る方向に向けて反射させるための反射部であって、「前記スクリーンと略平行でこれと対向又は接触する『面』」を有しており、前記スクリーンのユーザー側に前記スクリーンと対向又は接触するように配置され、前記スクリーンが画像を表示しているとき又は表示していないとき、前記スクリーンのユーザー側に配置された赤外線放射部からの赤外線を前記「面」の一部又は全部で受けて、それを暖房用の赤外線としてユーザーの居る方向に反射できるように構成された反射部、を含むことを特徴とする暖房機能付きスクリーン。
【００２６】
１６．上記６から１５までのいずれかにおいて、前記赤外線発生部、前記赤外線放出部、又は前記赤外線放射体は、前記画面表示部が何らかの画面を表示しているときだけ赤外線を発生、放出又は放射するように構成されている、ことを特徴とする暖房装置。
【００２７】
１７．上記６から１５までのいずれかにおいて、前記赤外線発生部、前記赤外線放出部、又は前記赤外線放射体は、赤外線を発生、放出又は放射している場合でも、前記画面表示部が画面の表示を停止したときは、自動的に赤外線の発生、放出又は放射を停止するように構成されている、ことを特徴とする暖房装置。
【００２８】
１８．上記６から１５までのいずれかにおいて、前記の画面表示部、表示パネル又はスクリーンが画面を表示しているかどうかを検知するための画面検知手段と、前記画面検知手段からの出力に基づいて前記赤外線発生部、前記赤外線放出部、又は前記赤外線放射体による赤外線の「発生、放出又は放射」又はその停止を制御するための制御手段と、を備えたことを特徴とする暖房装置。
【００２９】
１９．上記６から１５までのいずれかにおいて、「前記の画面表示部、表示パネル又はスクリーン」又はこれらの画面を視聴するユーザーの周辺の温度を検出するための温度検出手段と、前記温度検出手段からの出力に基づいて前記赤外線発生部、前記赤外線放出部、又は前記赤外線放射体による赤外線の「発生、放出又は放射」又はその停止を制御するための制御手段と、を備えたことを特徴とする暖房装置。
【００３０】
２０．上記６から１５までのいずれかにおいて、ユーザーが手元で前記の画面表示部、表示パネル又は画像投射部に対する制御情報を近赤外線により無線送信できるリモートコントーラを備え、前記赤外線発生部、前記赤外線放出部、又は前記赤外線放射体は、主として遠赤外線をユーザー方向に放出し、近赤外線は全く又はほとんど放出しないように構成されている、ことを特徴とする、暖房装置。
【００３１】
２１．上記６から１５までのいずれかにおいて、ユーザーが手元で前記の画面表示部、表示パネル又は画像投射部に対する制御情報を電波により無線送信できるリモートコントーラを備え、前記赤外線発生部、前記赤外線放出部、又は前記赤外線放射体は、遠赤外線と近赤外線の両方を放出するものである、ことを特徴とする、暖房装置。
【００３２】
２２．上記６から１５までのいずれかにおいて、ユーザーが手元で前記の画面表示部、表示パネル又は画像投射部に対する制御情報を近赤外線により無線送信できるリモートコントーラを備え、前記反射部は、遠赤外線を主として反射し、近赤外線は全く又はほとんど反射させないように構成されている、ことを特徴とする、暖房装置。
【００３３】
２３．上記６から１５までのいずれかにおいて、ユーザーが手元で前記の画面表示部、表示パネル又は画像投射部に対する制御情報を電波により無線送信できるリモートコントーラを備え、前記反射部は、遠赤外線と近赤外線の両方を反射するものである、ことを特徴とする、暖房装置。
【００３４】
（用語説明）  本発明において「赤外線発生部」は、例えば、赤外線ランプ、ハロゲンランプ、カーボンランプ（特開２００２−３２７９３５号公報参照）、赤外線発光ダイオード（ＬＥＤ）、セラミックヒータ、赤外線放射電気ヒーター（赤外線放射セラミックに直接通電してそれを発熱させて赤外線を放射させるもの）などの赤外線発生源を含むが、これらに限定されない。
【００３５】
また、本明細書において、「赤外線」という用語は、特に限定しないときは、近赤外線及び遠赤外線の双方を含む意味で使用している。
【００３６】
本発明において、「赤外線放出部」は、（ａ）外部の赤外線発生部からの赤外線（遠赤外線を含む）を受けて、その赤外線をそのまま暖房用の赤外線としてユーザー方向に反射するもの、（ｂ）外部の赤外線発生部からの赤外線（近赤外線を含む）を受けて、その赤外線により自らを加熱して（自らが発熱して）自らが遠赤外線を発生しそれを暖房用の赤外線として放射するもの（例えば、上記特許文献６が開示する「高効率放射セラミック４１４」と同様のもの）、（ｃ）電力や熱などの外部エネルギーを受けて自らが暖房用の赤外線を発生し且つ放出するもの、など様々な形態がありうる。
【００３７】
また、本発明において、前記の赤外線発生部、赤外線放出部、赤外線の反射部は、テレビなどの表示装置に内蔵又は固定されるものでもよいが、テレビなどの表示装置とは別個に製造・販売されるもの、すなわち、テレビなどの表示装置とは「別個に、又は／及び、独立に」設置されるもの（例えば、テレビなどの表示面に「外付け」されるもの）でもよい。
【発明の効果】
【００３８】
本発明によれば、テレビやスクリーンなどの表示装置の表示面に対向又は接触する部分から暖房用の赤外線を放出することができるので、表示装置の表示面のために必要なスペース（特に、大型化・広面積化している表示面のスペース＝ユーザーから見て縦方向のスペース、すなわち、建物の内壁面と略平行な方向のスペース）と暖房装置のために必要なスペースと、を一体化させることができる。したがって、本発明によれば、室内のテレビなどの表示装置の表示面が占めるスペースを、テレビ視聴と暖房（赤外線暖房）との２つの用途のために兼用することができる。すなわち、本発明によれば、テレビなどの表示装置の表示面及びこれに対向又は接触する部分を利用して、テレビの視聴と暖房（赤外線暖房）とを同時に行うことができる。
【００３９】
特に、本発明では、透明素材を使用するときは、テレビなどの表示装置の表示面の本来の機能を損なうことなく、表示装置の表示面のユーザーから見て垂直方向のスペースを有効に活用して効率的な赤外線暖房を行うことができる。特に、本発明においては、近年に広面積化が進んでいるテレビなどの表示装置の表示面のユーザーから見て垂直方向のスペースに配置された部材から赤外線を放出するようにしているので、効率的な輻射熱暖房が可能になる（一般に、赤外線暖房は、赤外線を放出する部分の面積が広くなれば広くなる程、輻射熱による暖房の効率が向上する）。
【００４０】
また、本発明によれば、ユーザーから見て略垂直方向（建物の内壁面と略平行な方向）のスペース（特に、室内の壁際の内壁面と略平行な略垂直方向のスペース）を有効に活用することができ、「ユーザーから見て略垂直方向（建物の内壁面と略平行な方向）のスペースをテレビの広面積の表示面が大きく侵食してしまうために、室内の家具などのレイアウトに大きな制約が生じてしまうという問題」を解決することができる。
【００４１】
また、住宅の居間では、一般に、テレビなどの表示装置の表示面とユーザーとの間には、ユーザーによる表示面の視聴の障害となるような障害物が存在しないようにされている。また、一般に、住宅の居間では、テレビなどの表示装置の表示面とユーザーが居る場所との間の空間には、ユーザーが画面を良く視聴できるように、ユーザーの視聴の障害となるような家具その他の物体は配置しないようにしている。したがって、本発明によれば、表示装置の表示面又はこの表示面と対向又は接触する部分を利用して暖房用の赤外線をユーザー側に供給するようにしているので、ユーザーへの赤外線暖房を、途中の障害物に邪魔されることなく確実に、且つ効率的に行うことができる。
【００４２】
また、本発明において、前記画面表示部が画面を表示しているときのみ赤外線を発生・放出・放射し、前記画面表示が画面を表示することを停止したときは赤外線の発生・放出・放射を停止するようにしている。一般に、前記画面表示部が画面を表示しているときは部屋にユーザーが居るときであり、前記画面表示部の画面表示が停止されたときは部屋からユーザーが居なくなったときである。したがって、本発明によれば、画面表示部の動作と赤外線発生部の動作とを互いに連動させられるようになり、前記画面表示部が画面を表示しているときだけ（通常は部屋に誰かが居るときだけ）、前記暖房用の赤外線が発生・放出・放射されるので、「部屋に誰もいないのに前記暖房用の赤外線が発生・放出・放射されている（ユーザーが、画面表示部の画面を消したが、赤外線発生部などは消し忘れた）」という事態を防止することができる。
【発明を実施するための最良の形態】
【００４３】
本発明を実施するための最良の形態は、例えば以下の実施例１などについて述べるような形態である。
【実施例１】
【００４４】
図１Ａは本発明の実施例１による液晶テレビを示すものである。図１Ａ（ａ）において、３１は液晶表示パネル、４０はこの表示パネル３１などを保持する筐体である。前記筐体４０の中には、前記表示パネル３１に所定の情報を表示するための処理装置（図示せず）や液晶用バックライト装置（図示せず）などが備えられている。
【００４５】
また、図１Ａ（ａ）において、４１は前記筐体４０の内部に収容された赤外線発生源としての赤外線ランプ（図１Ａの紙面に対して直交する方向に延びる細長い棒状のランプ）、４３は前記赤外線ランブ４１から発せられる赤外線（遠赤外線を含む）を後述の導光板４４の方向に反射・集光させるために前記赤外線ランプ４１の図示下方を覆っている断面が略半円状の反射板、である。
【００４６】
また、図１Ａ（ａ）において、４４は前記赤外線ランプ４１からの赤外線を、前記表示パネル３１の画面と対向又は接触する『面』のほぼ全面（前記表示パネル３１の画面と平行な面のほぼ全面）に拡散し、この拡散した赤外線を、前記表示パネル３１の画面と対向又は接触する『面』のほぼ全面から、ユーザー１０の方向に反射・出射させるための透明な導光板（Ｌｉｇｈｔ  Ｇｕｉｄｅ  Ｐｌａｔｅ）、である。前記導光板４４は、アクリル樹脂などの透明樹脂で形成されている。
【００４７】
なお、ここで、前記導光板４４の構造を図１Ａ（ｂ）を参照して説明する。図１Ａ（ｂ）に示すように、前記導光板４４には、その表示パネル３１側（図示左側）の面に、多数の反射プリズムＢが形成されている。この反射プリズムＢは、例えば１００μｍ間隔で形成されている。前記赤外線ランプ４１からの赤外線は、導光板４４の中に導入されると、前記反射プリズムＢで反射されて、ユーザー方向（図示右方向）に反射される（図１Ａ（ｂ）の破線Ａ参照）。以上のように、前記導光板４４は、前記表示パネル３１に表示された画像をユーザーの方向に透過させられる透明な構造を保ちながら、同時に、前記赤外線ランプ４１からの赤外線を前記導光板４４のほぼ全体に面状に拡散させ且つユーザー方向に放射・反射させる機能をも有している。すなわち、前記導光板４４は、前記赤外線ランプ４１からの赤外線を表示パネル３１の画面と対向又は接触する部分の面のほぼ全体に広げるという「赤外線拡散機能」と、この拡散した赤外線をユーザー方向に反射させるという「赤外線への指向性付与機能」との２つの機能を果たしている。
【００４８】
なお、前記の導光板４４の反射プリズムＢの機能及び構成の理解に資するため、日経ＢＰ社発行の雑誌「日経エレクトロニクス２００４年３月１日号」の第３５ページの「１枚のパネルで両面液晶  透明な導光板で実現」という記事の一部を、次の（ａ）及び（ｂ）のとおり、引用しておく。また、前記の導光板４４の反射プリズムＢの機能及び構成の理解に資するため、２００４年３月９日付け日経産業新聞の「液晶パネル１枚で両面表示」という記事の一部を、次の（ｃ）のとおり、引用しておく。また、前記の導光板４４の反射プリズムＢの機能及び構成の理解に資するため、日経ＢＰ社発行の雑誌「日経ものづくり２００４年４月号」の第１２３ページの「表裏両面に表示できるリバーシブルＬＣＤ  携帯電話機やＰＤＡでの適用狙い三菱電機が開発」という記事の一部を、次の（ｄ）のとおり、引用しておく。
【００４９】
（ａ）「１枚のパネルを使って表と裏の両面ともに画像表示できる液晶パネル・モジュール「リバーシブルＬＣＤ」を三菱電機が試作した。バックライト光源の光を液晶パネルまで導く導光板を、従来の不透明なものから透明な構造に変えることで実現した。（中略）従来の導光板は，液晶パネルと反対側の面にすりガラスのような凹凸をつけ，液晶パネルに向け光を散乱させていた。パネルと反対の方向に散乱した光は，反射板でパネル側に戻していた。この凹凸と反射板の２つが，導光板に入射した光の透過を拒んでいた。今回の導光板は，凹凸の代わりに「反射プリズム」を形成した。導光板内部を伝わる光をパネル側に全反射するので、反射板を省略できる。反射プリズムの面積は，パネル面に垂直な方向からみると非常に狭い。このため，パネル面に垂直方向から入射した光のほとんどは、導光板を透過できる。」
【００５０】
（ｂ）「図１Ａ  透明な導光板の採用で、表も裏も画像表示  液晶パネルを２つの導光板が挟む構造を採る。パネルの垂直方向に進行する光の大部分を透過する構造の導光板を開発したことで，表と裏の両方で画像が表示できるようになった。通常の導光板は，すりガラスのような凹凸を裏面に持つ上，導光板を通る光の利用率を高めるための反射板を付けており，光を透過させることができなかった。今回は100μm間隔の反射プリズムを取り付け導光板を通る光を反射させることで、凹凸や反射板を不要にした。（中略）通常の液晶パネル・モジュールの導光板：導光板に凹凸を付け、光を散乱させる。液晶パネルの反対側に散乱した光は、反射板で跳ね返す。（中略）「リバーシブルＬＣＤ」の導光板：１００μｍ間隔で反射プリズムを付け、光を全反射させる。導光板の凹凸や反射板が不要になり、導光板を透明にできる。」
【００５１】
（ｃ）「三菱電機は表と裏の両面に映像を表示できるＴＦＴ（薄膜トランジスタ）液晶表示装置（ＬＣＤ）「リバーシブルＬＣＤ」を開発した。透明なバックライトを開発し、１枚のガラスパネルを２枚のバックライトで挟み発光させる方式を採用した。（中略）１枚の液晶パネルの両側を透明バックライトで挟めば、液晶パネルを２枚用意するのに比べ３分の２の重さで、コストもそれほどかからずに背面パネルの大型化に対応できる。（中略）従来なら光を拡散させる拡散シートや散乱した光を画面に集めるレンズシートを使うが、シートは透明でないため使えなかった。ＬＥＤの光を横方向に均一に広げるライトガイド（ＬＥＤ光源からの光を導光板にガイドするための、ミラーコート付きライトガイド）と、帯状に広がった光を面状に広げる導光板（狭ピッチ反射プリズム付き導光板）を、組み合わせた。効率よく光を広げるためのライトガイドにはミラーコートを付け、光を広げつつ表示品位を落とさないよう透明な反射プリズムを導光板に採用した。」
【００５２】
（ｄ）「（前略）こうした両面表示が可能になった最大の理由は「透明バックライト」を開発できたこと。導光板に水平方向から差し込んでくるＬＥＤの光を、導光板のシボで散乱させるのではなく、導光板（狭ピッチ反射プリズム付き導光板）の背面に形成した（多数の）細かな傾斜面で導光板の面直方向に的確に反射できるようにしたことだ。」
【００５３】
また、図１Ａ（ａ）において、４８は前記導光板４４の図示上方の端面に対向又は接触するように配置された反射板（例えば、銀スパッタフィルム）であって、前記導光板４４に導光された赤外線が前記端面から無意味な方向に逃げないようにするための反射板である。
【００５４】
本実施例１では、ユーザー１０がリモートコントローラ（図示せず）を使用して、前記リモートコントローラから、「赤外線を表示面方向からユーザー方向に向けて、表示面と対向又は接触する部分のほぼ全面から、面状の（ユーザーと対向又は接触する『面』状の）赤外線を放射することによる輻射熱暖房（赤外線暖房）を行うように指令する信号」を送信すると、筐体４０内に内蔵されたコントローラ（図示せず）の制御により、前記赤外線ランプ４１に所定の電力が供給される（なお、前記リモートコントローラは、前記赤外線ランプ４１からの赤外線の放射量も調整できる）。これにより前記赤外線ランプ４１からの赤外線（遠赤外線を含む）が前記導光板４４に入射され、さらに、これが導光板４４内で面状に拡散され且つそれがユーザー方向に反射されて、ユーザー１０の方向に放射される（図１Ａ（ａ）の符号Ａで示す破線の矢印を参照）。
【００５５】
なお、本実施例１と異なって、赤外線ランプ４１から直接にユーザー方向に赤外線を放射する方法も考えられる。しかしながら、図１Ａに示すように赤外線ランプ４１が筐体４０の下方（前記表示パネル３１の下方）に配置されている場合（赤外線ランプ４１は、安定性・安全性などの理由から、筐体４０の上方ではなく下方に設置することが望ましいと考えられる）は、その赤外線ランプ４１とユーザー１０との間にテーブルなどの障害物が存在することが多いため、赤外線ランプからの赤外線がユーザー１０に直接に放射されない（赤外線の輻射による暖房効果が得られない）ことが多いと考えられる。これに対して、本実施例１のように、赤外線ランプ４１からの赤外線を導光板４４により表示パネル３１の表示面と対向又は接触する部分（導光板４４）の略全面から面状に拡散して供給するようにしたときは、赤外線ランプ４１からの赤外線は、前記表示面と対向又は接触する部分の全面から、テーブルなどの障害物に邪魔されることなく、ユーザー１０側に確実に放射される。すなわち、一般に、テレビの表示面とユーザー１０との間には障害物は存在しない（そうでないと、ユーザー１０は障害なくテレビ画面を視聴することができない）ので、本実施例１のようにテレビの表示面と対向又は接触する『面』から赤外線を放射することにより、暖房用の赤外線を確実にユーザー１０に放射することができる。
【００５６】
また、本実施例１では、表示パネル３１の画面方向から多量の赤外線（遠赤外線だけでなく近赤外線を含む）がユーザー方向に放射されるので、ユーザー１０が操作する前記リモコンの信号は、電波などのような「近赤外線以外の無線」を使用することが望ましい。なぜなら、前記リモコンからの信号の送信のために近赤外線を使用する場合は、前記リモコンからの信号が前記赤外線ランプ４１から前記導光板４４を経由してユーザー側に放射される近赤外線と混信して、テレビの操作についての誤作動が発生してしまう恐れがあるためである。
【００５７】
また、本実施例１において、前記ユーザー１０が手元で使用するリモコンの信号として近赤外線を使用する場合は、前記赤外線ランプ４１からの近赤外線が前記導光板４４を介してユーザー方向に放射されることによる前記リモコンの誤作動を防止するために、近赤外線を吸収（遮蔽）する機能を有する透明の近赤外線吸収フィルムを、図１Ａの前記導光板４４のユーザー側に配置することが望ましい。
【００５８】
また、図１Ａの例では液晶テレビの液晶表示パネル３１のユーザー側に導光板４４を配置する例を説明したが、本発明はこれに限られるものではなく、前記液晶表示パネル３１に代えて様々な画面表示部を採用することができる。すなわち、本発明では、前記液晶表示パネル３１に代えて、プラズマディスプレイパネル（ＰＤＰ）、有機ＥＬ（エレクトロルミネッセンス）パネル、ＦＥＤ（フィールド・エミッション・ディスプレイ）パネル、背面投射型テレビのスクリーン、ホームシアタ用のフロント・プロジェクタ（又は背面側プロジェクタ）からの映像を表示するためのスクリーン、などの様々な画面表示部を採用することができる。
【００５９】
また、図１Ａの例では、赤外線を発生させるために赤外線ランプ４１を使用しているが、本発明では、この赤外線ランプ４１に代えて、赤外線発生源として、様々な赤外線発生手段（例えば、ハロゲンランプ、赤外線放射セラミック、赤外線放射電気ヒーター、赤外線ＬＥＤ、など）を使用することができる。また、図１Ａの例では、前記導光板４４に赤外線を供給するために赤外線ランプ４１を使用するようにしているが、本発明では、前記赤外線ランプ４１に代えて、赤外線レーザーを使用してもよい。この赤外線レーザーからの赤外線は前記導光板４４内で面状に拡散されてユーザー方向に反射される。
【００６０】
また、図１Ａの例では、前記液晶表示パネル３１のユーザー１０側に導光板４４を配置するようにしているが、本発明では、前記液晶表示パネル３１のユーザー１０と反対側に導光板４４を配置することも可能である。この場合は、導光板４４からユーザー方向に放射される赤外線は、前記液晶表示パネル３１（赤外線を透過できる液晶表示パネル）を透過して、ユーザー１０に伝達される。
【００６１】
次に、図１Ｂ（ａ）は本実施例１の暖房装置に付加される制御装置を説明するための図である。本実施例１には、図１Ｂ（ａ）に示すように、前記表示パネル３１の近傍に照度センサ１１１が付加的に備えられている。この照度センサ１１１は、前記表示パネル３１が画面を表示しているかどうかを検出するためのものである。すなわち、この照度センサ１１１は、例えば、画面表示部の一部の領域の照度の変化を検出し、その領域について所定時間内に照度の変化があれば、画面表示部に画面（映像など）が表示されていると判定するものである。また、前記赤外線ランプ４１は、電源制御装置４１ａからの制御により電源がＯＮ／ＯＦＦされるようになっている（また、前記電源制御装置４１ａは、前記赤外線ランプ４１からの赤外線の発生量も制御できる）。
【００６２】
そして、前記電源制御装置４１ａは、ユーザーが手元で操作するリモートコントローラ（リモコン）１１２からの制御情報に基づいて、前記赤外線ランプ４１の電源のＯＮ／ＯＦＦ（前記赤外線ランプ４１への電源の供給の有無）を切り換えるようになっている（また、前記電源制御装置４１ａは、前記リモコン１１２からの制御情報に基づいて、前記赤外線ランプ４１からの赤外線の発生量をも制御する）。さらに、前記電源制御装置４１ａは、前記照度センサ１１１からの出力に基づいて、前記照度センサ１１１からの出力が前記表示パネル３１が画面を表示していることを示すものであるときに限り、前記赤外線ランプ４１に電源を供給するようにしている。なお、前記リモコン１１２は、前記表示パネル３１を含むテレビの遠隔操作もできるものであってもよい。
【００６３】
次に、図１Ｂ（ａ）に示す装置を付加された本実施例１の動作を説明する。本実施例１では、前記照度センサ１１１は常時、表示パネル３１が画面を表示しているかどうかを検出し、前記電源制御装置４１ａに出力する（図１Ｂ（ａ）の矢印ａ参照）。前記電源制御装置４１ａは、前記照度センサ１１１からの出力が前記表示パネル３１が画面を表示していることを示しており、且つ、前記リモコン１１２からの前記赤外線ランプ４１を点灯せよとの制御情報を受信したときだけ、前記赤外線ランプ４１に電源を供給して前記赤外線ランプ４１を点灯させるようにしている。
【００６４】
したがって、図１Ｂ（ａ）に示す装置が付加された本実施例１では、もし、ユーザーが前記リモコン１１２により赤外線ランプ４１の点灯（これによる前記導光板４４からの赤外線の放出）を指示していても、前記表示パネル３１が画面を表示していないときは、前記照度センサ１１１からの出力に基づいて、前記電源制御装置４１ａは前記赤外線ランプ４１を点灯させない（それまで点灯していたときは点灯を停止させる）。また、本実施例１では、前記表示パネル３１が画面を表示しており、前記赤外線ランプ４１が点灯している（よって前記導光板４４から赤外線がユーザー方向に放出されている）場合でも、その後に前記表示パネル３１が画面の表示を停止したときは、前記電源制御装置１１１は、そのことを示す前記照度センサ１１１からの出力に基づいて、自動的に、前記赤外線ランプ４１への電源の供給を停止する（前記赤外線ランプ４１の点灯を停止させる）。
【００６５】
以上により、図１Ｂ（ａ）に示す装置を本実施例１に付加したときは、前記表示パネル３１の画面表示の動作と前記赤外線ランプ４１の点灯動作とが互いに連動するようになり、前記表示パネル３１が画面を表示しているときだけ（部屋にユーザーが居るときだけ）、前記赤外線ランプ４１が点灯するので、「部屋に誰もいないのに前記赤外線ランプ４１だけが点灯している（ユーザーがテレビは消したのに、赤外線ランプ４１を消し忘れている）」という事態を防止することができる。すなわち、以上のように構成したときは、前記赤外線ランプ４１などの赤外線放出部から暖房用の赤外線を放出するかどうか（例えば、赤外線ランプ４１に電源を供給するかどうか）を、前記照度センサ１１１などの検出手段による「表示面に画面（画像など）が表示されているかどうか」の検出結果と連動させるようにすることができる。
【００６６】
なお、前記の説明では、前記照度センサ１１１からの出力を前記電源制御装置４１ａに出力するようにした（図１Ｂ（ａ）の矢印ａ参照）が、本発明では、前記照度センサ１１１からの出力を前記リモコン１１２に無線で送信する（図１Ｂ（ａ）の破線の矢印ｂ参照）ようにしてもよい。この場合は、前記リモコン１１２は、前記照度センサ１１１からの出力が前記表示パネル３１が画面を表示していることを示すものであるときだけ、前記赤外線ランプ４１を点灯させる指示情報を前記電源制御装置４１ａに無線送信できるように設定されている。また、前記表示パネル３１が画面を表示しており、前記赤外線ランプ４１が点灯している場合において、前記画面の表示が停止されたときは、前記リモコン１１２は、そのことを示す前記照度センサ１１１からの出力に基づいて、前記赤外線ランプ４１の点灯を停止させる指示情報を前記電源制御装置４１ａに無線送信するように設定されている。
【００６７】
次に、図１Ｂ（ｂ）は、前記の図１Ｂ（ａ）に示す装置に代替できる他の装置を説明するための図である。図１Ｂ（ｂ）において、図１Ｂ（ａ）と共通する部分には同一の符号を付している。この図１Ｂ（ｂ）の装置では、図１Ｂ（ａ）の前記照度センサ１１１を設置する代わりに、前記表示パネル３１を制御する表示パネル制御装置３１ａが、前記表示パネル３１が画面を表示しているとき、そのことを示す信号を前記電源制御装置４１ａに出力するようにしている（図１Ｂ（ｂ）の矢印ａ参照）。したがって、この図１Ｂ（ｂ）に示す装置を本実施例１に付加する場合でも、前記表示パネル３１の画面表示の動作と前記赤外線ランプ４１の点灯動作とが互いに連動するようになり、前記の図１Ｂ（ａ）に関して説明したのと同様の作用効果を奏することができる。なお、前記の説明では、前記表示パネル制御装置３１ａからの出力を前記電源制御装置４１ａに出力するようにした（図１Ｂ（ｂ）の矢印ａ参照）が、本発明では、前記表示パネル制御装置３１ａからの出力を前記リモコン１１２に無線で出力する（図１Ｂ（ｂ）の破線の矢印ｂ参照）ようにしてもよいことは、図１Ｂ（ａ）で説明したのと同様である。
【００６８】
次に、図１Ｂ（ｃ）は、前記の図１Ｂ（ａ）に示す装置に代替できる他の装置を説明するための図である。図１Ｂ（ｃ）において、図１Ｂ（ａ）と共通する部分には同一の符号を付している。この図１Ｂ（ｃ）の装置では、ユーザーが手元で操作するリモートコントローラ（リモコン）１１２ａが、前記表示パネル制御装置３１ａと前記電源制御装置４１ａとに対して、同時に、互いに連動する制御情報を送信するようにしている。すなわち、前記リモコン１１２ａは、「前記表示パネル３１による画面表示を開始させると共に前記赤外線ランプ４１の点灯を開始させることを指示する情報」を前記表示パネル制御装置３１ａと前記電源制御装置４１ａとに対して同時に無線送信する。また、前記リモコン１１２ａは、「前記表示パネル３１による画面表示を停止させると共に前記赤外線ランプ４１の点灯を停止させることを指示する情報」を前記表示パネル制御装置３１ａと前記電源制御装置４１ａとに対して同時に無線送信する。以上により、図１Ｂ（ｃ）に示す装置を本実施例１に付加した場合でも、前記表示パネル３１の画面表示の動作と前記赤外線ランプ４１の点灯動作とが互いに連動するようになり、前記の図１Ｂ（ａ）について説明したのと同様の作用効果を奏することができる。
【００６９】
次に、図１Ｃは本実施例１の変形例を示すものである。図１Ｃの例では、赤外線ランプ４１、導光板４４及び反射板４８が、前記表示パネル３１を収容している筐体４０とは別個・独立に構成されている。すなわち、図１Ｃの例では、赤外線ランプ４１、導光板４４及び反射板４８が、脚部兼用の支持部１０１に支持されて、前記筐体４０の近傍に配置されている。そして、前記導光板４４は、前記支持部１０１により、前記表示パネル３１の表示面の近傍の位置に、これと対向又は接触するように配置されている（なお、前記導光板４４は、前記表示パネル３１の表示面と接触するように配置するのが望ましい）。この図１Ｃの例では、前記の赤外線ランプ４１、導光板４４、反射板４８、及び支持部１０１は、前記表示パネル３１及び筐体４０を含む液晶テレビとは別個・独立に、製造・販売することができる。また、図１Ｃの例によっても、図１Ａで説明した本実施例１と同様の作用効果を奏することができる。また、図１Ｃに示す変形例についても、前記の図１Ｂ（ａ）−（ｃ）の装置を付加できることは勿論である。
【実施例２】
【００７０】
次に、本発明の実施例２を図２に基づいて説明する。本実施例２の構成は、前記の実施例１と基本的に同様である。本実施例２が前記実施例１と異なる点は、図２に示すように、赤外線ランプ４１からの赤外線を集光して導光板４４に導くための集光レンズ４２を、赤外線ランプ４１と導光板４４との間に配置している点である。本実施例２では、この集光レンズ４２により、前記赤外線ランプ４１からの赤外線が効率的に導光板４４の図示下方の端面に導かれるようになる。なお、図２において、４３ａは前記赤外線ランプ４１からの赤外線が前記集光レンズ４２を介して前記導光板４４に導かれる過程で前記赤外線が無意味な方向に逃げないようにするために前記赤外線ランプ４１と前記集光レンズ４２を覆う反射筒（内壁面が反射面となるように形成されている）である。本実施例２によっても、前記実施例１とほぼ同様の作用効果を得ることができる。
【実施例３】
【００７１】
次に、本発明の実施例３を図３Ａに基づいて説明する。図３Ａにおいて、図１Ａと共通する部分には同一の符号を付している。図３Ａにおいて、４４は赤外線ランプ４１からの赤外線を表示パネル３１の画面と対向又は接触する部分の面全体に広げて（導光板が有する、赤外線拡散機能）ユーザー方向に反射させる（導光板が有する、赤外線への指向性付与機能）ための導光板である。すなわち、前記導光板４４は、前記赤外線ランプ４１からの赤外線を表示パネル３１の表示面と対向又は接触する部分の面全体に広げるという「赤外線拡散機能」と、この拡散した赤外線をユーザー方向に反射させるという「赤外線への指向性付与機能」との２つの機能を果たすためのものである。
【００７２】
前記導光板４４の表面（又は裏面）には多数の光反射用のプリズム（又はドットのパターン）が形成されている（従来の液晶表示装置用「エッジライト型バックライト」に使用されている「導光板」と基本構造は同様である）。前記導光板４４に導光された赤外線は、これらの光反射用プリズムなどにより拡散されてユーザー１０方向に反射・出射する。
【００７３】
また、図３Ａにおいて、４５は前記表示パネル３１と前記導光板４４との間に介在された透明な反射板（Ｒｅｆｌｅｃｔｉｏｎ  Ｓｈｅｅｔ）であって、前記導光板４４に導かれた光が前記表示パネル３１方向に反射しないように（無意味な方向に逃げないように）するための透明な反射板である。前記反射板４５は、例えば、銀スパッタフィルムにより、又は銀スパッタフィルムがコーティングされた透明板により、構成されている。
【００７４】
また、図３Ａにおいて、４６は前記導光板４４のユーザー１０側に配置された拡散シート（Ｄｉｆｆｕｓｅｒ）であって、前記導光板４４によって前記表示パネル３１の画面と対向又は接触する前記導光板４４の全面に広がった赤外線を拡散させるための透明な拡散シートである。この拡散シート４６は、前記の導光板４４が有する「赤外線拡散機能」が十分なものであるときは、省略してもよい。
【００７５】
また、図３Ａにおいて、４７は前記拡散シート４６のユーザー１０側に配置されたプリズムシートであって、前記導光板４４及び前記拡散シート４６からの赤外線がユーザー１０方向に高い指向性を持って出射するように（前記赤外線が無駄な方向に出射しないように）前記赤外線の指向性を高めるためのプリズムシートである。なお、このプリズムシート４７は、前記の導光板４４が有する「赤外線への指向性付与機能」が十分なものであるときは、省略してもよい。
【００７６】
また、図３Ａにおいて、４８は前記導光板４４、拡散シート４６、及びプリズムシート４７の図示上方の端面に対向又は接触するように配置された反射板であって、前記導光板４４、拡散シート４６、及びプリズムシート４７に導光された赤外線が前記端面から無意味な方向に逃げないようにするための反射板である。前記反射板４８は、例えば、銀スパッタフィルムにより、又は銀スパッタフィルムがコーティングされた板により、構成される。
【００７７】
本実施例３においても、前記実施例１とほぼ同様の作用効果が得られる。すなわち、前記赤外線ランプ４１からの赤外線が前記導光板４４に入射され、さらに、これが導光板４４内で拡散されユーザー方向に反射されて（さらに、前記拡散シート４６で拡散され、前記プリズムシート４７で高い指向性を付与されて）、ユーザー１０の方向に放射される（図３Ａの符号Ａで示す破線の矢印を参照）。
【００７８】
なお、前述のように、前記導光板４４と前記表示パネル３１との間には面状（平板状）の透明な反射板４５が介在させられている。よって、本実施例では、前記導光板４４に導光された赤外線（熱線）が表示パネル３１の方向に伝導されて表示パネル３１に対して熱による障害を与えてしまうことが防止されている。
【００７９】
次に、図３Ｂは本実施例３の変形例を示すものである。図３Ｂの例では、赤外線ランプ４１、導光板４４、拡散シート４６、プリズムシート４７、及び反射板４８が、前記表示パネル３１を収容している筐体４０とは別個・独立に構成されている。すなわち、図３Ｂの例では、赤外線ランプ４１、導光板４４、拡散シート４６、プリズムシート４７、及び反射板４８が、脚部兼用の支持部１０２に支持されて、前記筐体４０の近傍に配置されている。そして、前記反射板４５、導光板４４、拡散シート４６、及びプリズムシート４７は、前記支持部１０２により、前記表示パネル３１の表面の近傍の位置に、これと対向又は接触するように配置されている（なお、前記反射板４５は、前記表示パネル３１の表面と接触するように配置するのが望ましい）。この図３Ｂの例では、前記の赤外線ランプ４１、導光板４４、拡散シート４６、プリズムシート４７、反射板４８、及び支持部１０２は、前記表示パネル３１及び筐体４０を含む液晶テレビとは別個・独立に、製造・販売することができる。また、図３Ｂの例によっても、図３Ａで説明した本実施例３と同様の作用効果を奏することができる。
【実施例４】
【００８０】
図４Ａは本発明の実施例４による液晶テレビを示すものである。図４Ａにおいて、３１は液晶表示パネル、４０はこの表示パネル３１を保持する筐体である。前記筐体４０の中には、前記表示パネル３１に所定の情報を表示するための処理装置（図示せず）、液晶用バックライト装置（図示せず）などが備えられている。
【００８１】
また、図４Ａにおいて、５１は前記表示パネル３１のユーザー側表面に備えられた面状（平板状）の透明な赤外線反射体である。この透明赤外線反射体５１は、後述の赤外線放射体５３からの赤外線をユーザーの方向に反射させるためのもので、例えば、銀などの金属の薄膜などがコーティングされた透明薄膜（透明フィルム）又は透明薄板（透明シート）から成る。
【００８２】
また、図４Ａにおいて、５２は前記透明赤外線反射体５１のユーザー側に備えられた面状（平板状）の透明加熱体（透明ヒーター）で、後述の透明赤外線放射体５３を加熱するためのものである。この透明加熱体５２は、例えば、従来より公知のＴＦＴ（Ｔｈｉｎ  Ｆｉｌｍ  Ｔｒａｓｉｓｔｏｒ）型液晶表示装置の透明電極に使用されているＩＴＯ（インジウム・スズ酸化物（酸化インジウム））などを材料とする透明導電性フィルムにより構成される。この透明加熱体５２は、例えばユーザー１０が操作するリモコン操作により、図示しない電源からの電流が流されることにより所定温度まで発熱する。
【００８３】
また、図４Ａにおいて、５３は前記透明加熱体５２のユーザー側に備えられた面状（又は平板状）の透明赤外線放射体である。この透明赤外線放射体５３は、前記透明加熱体５２からの熱で加熱されて遠赤外線を発生しこれをユーザー側に放射するためのものである。この透明赤外線放射体５３は、例えば、公知の透明セラミック材料から成る薄膜（フィルム）又は平板（シート）により構成される。公知の透明セラミック材料としては、例えば、株式会社村田製作所（日本国京都府長岡京市天神２−２６−１０）が製造・販売している「ルミセラ」（商品名）などがある。この「ルミセラ」は、光学ガラスと同等の透過率・透光性を有しており、カメラ用レンズなどに使用されている。
【００８４】
また、図４Ａにおいて、５４は前記透明赤外線放射体５３により発生された赤外線がユーザー方向以外の無意味な方向（図示上下方向）に逃げないようにするために、前記の透明赤外線反射体５１、透明加熱体５２、及び透明赤外線放射体５３の各上下の端面に設置された反射板、である。
【００８５】
次に、ユーザー１０が、リモコン操作により、本実施例４に対して、表示パネル３１の表示面と対向又は接触する部分のほぼ全面から面状に発生した赤外線をユーザー方向に放射することによる輻射熱暖房（赤外線暖房）を指示したときの動作を説明する。前記リモコンからの前記指示が入力されると、前記筐体４０内のコントローラ（図示せず）は、このリモコンからの指示に対応して、前記透明加熱体５２に所定の電流を供給して、前記透明加熱体５２を発熱させる。この透明加熱体５２からの熱により前記透明赤外線放射体５３が加熱され、この加熱された前記透明赤外線放射体５３のほぼ全体から面状に赤外線（遠赤外線を含む）が発生して、ユーザー方向に放射される（図４Ａの符号Ａで示す破線の矢印を参照）。
【００８６】
なお、前記透明赤外線放射体５３から発生された赤外線で前記表示パネル３１の方向に放射された赤外線は、前記透明赤外線反射体５１により反射されてユーザー方向に放射される。したがって、前記透明赤外線放射体５３からの赤外線は、そのほとんど全てがユーザー１０方向に放射されることになり、効率的な輻射熱暖房を達成できる。
【００８７】
また、前述のように、前記透明赤外線放射体５３から発生された赤外線で前記表示パネル３１の方向に放射された赤外線は、前記透明赤外線反射体５１により反射されてユーザー方向に放射されるので、前記透明赤外線放射体５３からの赤外線が表示パネル３１を加熱することが防止され、表示パネル３１が前記熱により故障するなどの不都合が回避される。
【００８８】
なお、図４Ａでは図示していないが、前記表示パネル３１と前記透明赤外線反射体５１との間に面状（平板状）の透明な断熱体を介在させることも可能であり、このようにすれば、前記透明加熱体５２及び前記透明赤外線放射体５３からの熱が表示パネル３１に伝導することがより確実に回避され、表示パネル３１の熱による障害がより確実に防止できる。
【００８９】
また、本実施例４において、前記ユーザー１０が手元で使用するリモコンの信号を近赤外線により無線送信するときは、前記透明赤外線放射体５３から近赤外線がユーザー方向に放射されることによるリモコンの誤作動を防止するために、近赤外線を吸収する透明の近赤外線吸収フィルムを図４Ａの前記透明赤外線放射体５３のユーザー側に配置させることが望ましい。
【００９０】
次に、図４Ｂは本実施例４の変形例を示すものである。図４Ｂの例では、透明赤外線反射体５１、透明加熱体５２、透明赤外線放射体５３、及び反射板５４が、前記表示パネル３１を収容している筐体４０とは別個・独立に構成されている。すなわち、図４Ｂの例では、透明赤外線反射体５１、透明加熱体５２、透明赤外線放射体５３、及び反射板５４が、脚部兼用の支持部１０３に支持されて、前記筐体４０の近傍に配置されている。そして、前記透明赤外線反射体５１、透明加熱体５２、透明赤外線放射体５３、及び反射板５４は、前記支持部１０３により、前記表示パネル３１の表面の近傍の位置に、これと対向又は接触するように配置されている（なお、前記透明赤外線反射体５１は、前記表示パネル３１の表面と接触するように配置するのが望ましい）。この図４Ｂの例では、前記の透明赤外線反射体５１、透明加熱体５２、透明赤外線放射体５３、反射板５４、及び支持部１０３は、前記表示パネル３１及び筐体４０を含む液晶テレビとは別個・独立に、製造・販売することができる。また、図４Ｂの例によっても、図４Ａで説明した本実施例４と同様の作用効果を奏することができる。
【実施例５】
【００９１】
図５Ａは本発明の実施例５による液晶テレビを示すものである。図５Ａにおいて、図４Ａと共通する部分には同一の符号を付して説明を省略する。本実施例５は、前記の実施例４と基本的構成は同様であるので、以下では、前記実施例４と異なる点についてのみ説明する。
【００９２】
前記の実施例４においては、図４Ａの前記透明赤外線放射体５３から暖房用の赤外線を発生させるために、前記透明赤外線放射体５３を加熱するための前記透明加熱体（透明ヒーター）５２を使用している。これに対して、本実施例５では、前記透明赤外線放射体５３に透明加熱体の役割をも持たせることにより、前記透明加熱体５２を省略するようにしている。
【００９３】
すなわち、図５Ａにおいて、５３ａは図４Ａの前記透明赤外線放射体５３に例えばＩＴＯ（酸化インジウム）などの導電性材料を混合するなどの方法により導電性を有するように構成された透明赤外線放射体である。
【００９４】
したがって、本実施例５においては、前記透明赤外線放射体５３ａに外部の電源から電流を供給することにより、前記透明赤外線放射体５３ａは、自ら発熱し（図４Ａの例のように前記透明加熱体５２からの熱伝導により加熱させられるのではなく）、この発熱により、自ら、暖房用の赤外線を発生し、ユーザー方向に放射する。なお、図５Ａにおいて、５５は前記透明赤外線放射体５３ａのユーザー側に配置された透明な絶縁シートである（前記透明赤外線放射体５３ａに印加される電圧は数〜数十ボルト程度の弱いもので済むから、前記絶縁シート５５は省略できる場合もありうる）。
【００９５】
次に、図５Ｂは本実施例５の変形例を示すものである。図５Ｂの例では、前記の透明赤外線反射体５１、導電性を有する透明赤外線放射体５３ａ、絶縁シート５５、及び反射板５４が、前記表示パネル３１を収容している筐体４０とは別個・独立に構成されている。すなわち、図５Ｂの例では、透明赤外線反射体５１、透明赤外線放射体５３ａ、絶縁シート５５、及び反射板５４が、脚部兼用の支持部１０３に支持されて、前記筐体４０の近傍に配置されている。そして、前記透明赤外線反射体５１、透明赤外線放射体５３ａ、絶縁シート５５、及び反射板５４は、前記支持部１０３により、前記表示パネル３１の表面の近傍の位置に、これと対向又は接触するように配置されている（なお、前記透明赤外線反射体５１は、前記表示パネル３１の表面と接触するように配置するのが望ましい）。この図５Ｂの例では、前記の透明赤外線反射体５１、透明赤外線放射体５３ａ、絶縁シート５５、反射板５４、及び支持部１０３は、前記表示パネル３１及び筐体４０を含む液晶テレビとは別個・独立に、製造・販売することができる。また、図５Ｂの例によっても、図５Ａで説明した本実施例５と同様の作用効果を奏することができる。
【実施例６】
【００９６】
図６は本発明の実施例６による液晶テレビを示すものである。図６において、１０はユーザー、１は液晶テレビ用の液晶表示パネル、２は液晶パネル用の可視光放射用バックライト（例えば蛍光灯や白色ＬＥＤ）、３は遠赤外線放射装置（例えば、遠赤外線ランプ）、４は前記遠赤外線放射装置３からの遠赤外線の一部であって前記液晶パネル１の反対方向に放射された遠赤外線を前記液晶表示パネル１の方向（ユーザー１０の方向）に反射させるための反射部、５はこれらを収容する筐体、である。
【００９７】
図６の液晶テレビでは、液晶表示パネル１で画像を表示しているとき、前記バックライト２からの可視光が前記パネル１を透過してユーザー側に画像を表示させると同時に、前記遠赤外線放射装置３からの遠赤外線（前記反射部４で反射された遠赤外線をも含む）が前記液晶表示パネル１を透過して、ユーザー１０側に放射（供給）される。よって、ユーザー１０は、前記液晶表示パネル１からの画像を見ながら、同時に、前記液晶表示パネル１から放射される遠赤外線（図１Ａの破線Ａ参照）の輻射熱により身体が温められる。一般に、テレビの表示面とユーザー１０との間には障害物は存在しない（そうでないと、ユーザー１０はテレビ画面を障害なく視聴することができない）ので、本実施例１のようにテレビの表示パネル１を使用することにより、遠赤外線放射装置３からの遠赤外線を確実にユーザー１０に放射することができる。
【００９８】
なお、前記液晶表示パネル１には、カラー表示のために、赤色の部分と青色の部分と緑色の部分とから成るカラーフィルタが備えられていることが多い。このようなカラーフィルタが前記液晶表示パネル１に備えられている場合は、前記遠赤外線放射装置３からの遠赤外線は、前記カラーフィルタの中の青と緑の部分（赤外線を吸収する部分）は透過することができないが、前記カラーフィルタの中の赤の部分（赤外線を吸収しない部分）は透過することができる。
【００９９】
また、図６では、図示していないが、ユーザーは、テレビ用リモコンを使用して、前記遠赤外線放射装置３の作動開始、作動停止、及び発生する遠赤外線量の調整などを制御することができる。
【０１００】
また、図６では、前記遠赤外線放射装置３は、遠赤外線を放射するが近赤外線はなるべく放射しないように構成している。その理由は、ユーザーが希望する操作情報はテレビ用リモコンから近赤外線によりテレビ側に無線送信されているため、前記液晶表示パネル１の側から多量の近赤外線が放出されると、この表示パネル１側からの近赤外線により、前記テレビ用リモコンからの操作情報（近赤外線）の送信が妨害されてしまう可能性があるからである。なお、テレビ用リモコンからの操作情報を近赤外線でなく近距離通信用電波（例えばブルートュース規格の電波）などによりテレビ側に無線送信するようにすれば、前記遠赤外線放射装置３から遠赤外線だけでなく近赤外線も放出し、表示パネル１から遠赤外線だけでなく近赤外線もユーザー方向に放出するようにしても、問題はない。
【０１０１】
また、本発明では、前記バックライト２と遠赤外線放射装置３は、例えばハロゲンランプなどにより一体的に構成する（ハロゲンランプなどの一つの光源が、バックライトと遠赤外線放射装置とを兼ねる）ようにしてもよい。
【実施例７】
【０１０２】
図７は液晶表示パネルを使用する背面投射型テレビを示すものである。図７において、１１はスクリーン、１２は映像投射用光源ランプ、１３は映像投射用表示素子（液晶表示パネル）、１４は前記表示素子１３からの画像を反射するためのミラー、１５は前記ミラー１４からの画像を拡大してスクリーン１１に投射するための投射レンズ、１６は遠赤外線放射装置、１７は遠赤外線放射装置１６からの遠赤外線をスクリーン１１の方向（ユーザーの居る方向）に反射させるための反射部、１８はこれらを収容・保持する筐体、である。
【０１０３】
この図７の背面投射型テレビでは、前記映像投射用表示素子（液晶表示パネル）１３に前記映像投射用光源ランプ１２からの光を透過させることにより、前記表示素子１３からの画像が、前記ミラー１４及び投射レンズ１５を介して、ユーザーに見えるようにスクリーン１１に表示される。そして、この画像が前記スクリーン１１に表示されているとき、同時に、前記遠赤外線放射装置１６からの遠赤外線が、前記反射部１７で反射されてスクリーン１１に到達し、さらにスクリーン１１を透過して、ユーザー方向に放射（供給）される。よって、ユーザーは、前記スクリーン１１に表示された画像を見ながら、同時に、前記スクリーン１１を透過した遠赤外線（図７の破線Ａ参照）の輻射熱により身体が温められる。一般に、テレビの表示面とユーザー１０との間には障害物は存在しない（そうでないと、ユーザー１０はテレビ画面を障害なく視聴することができない）ので、図７の例のようにテレビの表示面となるスクリーン１１を使用することにより、遠赤外線放射装置１６からの遠赤外線Ａを確実にユーザー１０に放射することができる。
【０１０４】
なお、図７の例では、前記映像投射用表示素子（液晶表示パネル）１３に前記映像投射用光源ランプ１２からの光を透過させることにより、映像を前記ミラー１４及び投射レンズ１５を介してスクリーン１１に投射するようにしているが、本発明では、図７のミラー１４の位置に映像投射用の反射型液晶（ＬＣＯＳ）を配置して、前記反射型液晶（ＬＣＯＳ）で投射用光源ランプ１２からの光を反射することにより、前記反射型液晶（ＬＣＯＳ）に表示された映像を前記投射レンズ１５を介してスクリーン１１に投射するようにしてもよい（この場合は、前記ミラー１４は省略される）。
【０１０５】
また、図７の例でも、図６の例と同様に、ユーザー１０は、前記遠赤外線放射装置１６からの赤外線の発生の有無及びその量について、手元のリモコン（図示せず）により操作可能である。また、前記遠赤外線放射装置１６は、図６の例と同様に、遠赤外線を放射し近赤外線はなるべく放射しないように構成している。しかし、前記リモコンからの操作情報を近赤外線でなく近距離通信用電波などによりテレビ側に無線送信するように構成するときは、前記遠赤外線放射装置１６から遠赤外線だけでなく近赤外線も放射し、この遠赤外線及び近赤外線を前記スクリーン１１を介してユーザー方向に放射するようにしても、問題はない。
【０１０６】
また、本実施例において、前記ユーザー１０が手元で使用するリモコンからの信号を近赤外線により無線送信するときは、近赤外線に乗せられたリモコン信号が前記スクリーン１１からの多量の近赤外線と混信してしまうことを防止するために、近赤外線を吸収する機能を有する透明の近赤外線吸収フィルムを図７のスクリーン１１の例えばユーザー側に配置させることが望ましい。
【実施例８】
【０１０７】
図８Ａ（ａ）は本発明の実施例８による液晶テレビを示すものである。図８Ａ（ａ）において、１０はユーザー、１は液晶テレビ用の液晶表示パネル、２は液晶パネル用の可視光放射用バックライト（例えば蛍光灯や白色ＬＥＤ）である。また、図８Ａにおいて、３ａは前記液晶表示パネル１よりもユーザーに近い側に設置され遠赤外線を前記液晶表示パネル１に向けて放射するための遠赤外線放射装置（例えば遠赤外線ランプ）、４ａは前記遠赤外線放射装置３ａからの遠赤外線をユーザー側に反射させるために前記液晶表示パネル１のユーザー側表面に備えられた透明の反射部、５はこれらを収容又は保持するための筐体、２０はユーザー１０と前記遠赤外線放射装置３ａとの間に介在するテーブル（家具）、である。
【０１０８】
前記反射部４ａは、例えば、前記液晶表示パネル１の表面に透明の遠赤外線反射塗料をコーティングした反射膜、又は、前記液晶表示パネル１の表面に貼られた透明の遠赤外線反射フィルム、などにより構成される。なお、前記の透明の遠赤外線反射塗料、又は、透明の遠赤外線反射フィルムは、既に、窓ガラス用などとして多数販売されている。例えば、株式会社ヤマヒラ（東京都台東区台東３−８−１２第八江波戸ビル１Ｆ）が製造販売している窓用の透明熱線反射（遮断）フィルム「ｒｅｆｔｅｌ（レフテル）」、ＮＴＴアドバンストテクノロジ株式会社（東京都三鷹市下連雀３−３５−１ネオシティ三鷹ビル６Ｆ）が製造販売している遠赤外線反射塗料「アットシールド・カラー」及び「アットシールド・クリア」、日笠工業株式会社（兵庫県神戸市灘区大石南町３−３−１）が販売している透明遠赤外線反射塗料「アットシールド・クリア」、横河東亜工業株式会社（東京都品川区上大崎１−２−８）が販売施工している「窓ガラス断熱塗装用の遠赤外線反射塗料」、など。
【０１０９】
また、図８Ａの例では、前記反射部４ａは、その表面が図８Ａ（ｂ）のような凹凸を有するように形成されている。前記遠赤外線放射装置３ａからの遠赤外線は、前記反射部４ａの凹凸に当たることにより、図８Ａ（ｂ）の破線Ａで示すように、ユーザー１０の方向に反射される。
【０１１０】
図８Ａ（ａ）の液晶テレビでは、液晶表示パネル１で画像を表示しているとき、バックライト２からの可視光が前記液晶表示パネル１を透過してユーザー側に画像を表示させると同時に、前記遠赤外線放射装置３からの遠赤外線が前記液晶表示パネル１の表面にコーティングされた透明な反射部４ａで反射されてユーザー側に放射（供給）される。よって、ユーザーは、前記液晶表示パネル１に表示される画像を見ながら、同時に、前記液晶表示パネル１の表面の前記反射部４ａにより反射（供給）された遠赤外線（図８Ａの破線Ａ参照）の輻射熱により身体を温めることができる。
【０１１１】
図８Ａ（ａ）に示す例では、前述のように、ユーザー１０と遠赤外線放射装置３ａとの間にはテーブル２０が存在している。したがって、遠赤外線放射装置３ａからの遠赤外線を直接にユーザー１０方向に放射しようとしても、前記テーブル２０が障害物となって、ユーザー１０にはほとんど放射されない。これに対して、本実施例３では、前記遠赤外線放射装置３ａからの遠赤外線を前記液晶表示パネル１の表面の反射部４ａで反射するようにしているので、前記遠赤外線放射装置３ａからの遠赤外線は、前記テーブル２０に邪魔されることなく、ユーザー１０側に確実に放射される。一般に、テレビの表示面とユーザー１０との間には障害物は存在しない（そうでないと、ユーザー１０はテレビ画面を障害なく視聴することができない）ので、本実施例３のようにテレビの表示面に形成された反射部４ａを使用することにより、遠赤外線放射装置３ａからの遠赤外線をユーザー１０に確実に放射することができる。
【０１１２】
なお、本発明では、前記遠赤外線放射装置３ａからの遠赤外線をいったん他の反射板で反射させてから前記反射部４ａに放射するようにしてもよい。
【０１１３】
次に、図８Ｂは図８Ａで説明した本実施例８の変形例を示すものである。図８Ｂの例では、前記遠赤外線放射装置３ａからの遠赤外線をユーザー側に反射させるための透明の反射部であって、表面に遠赤外線反射塗料がコーティングされた透明板、又は、表面に透明の遠赤外線反射フィルムが貼られた透明板により構成される透明の反射部４ａ’が、脚部兼用の支持部１０４に支持されて、前記筐体５に支持された表示パネル１の近傍の位置に、配置されている。そして、前記の透明の反射部４ａ’は、前記支持部１０４により、前記表示パネル１の表面の近傍の位置に、これと対向又は接触するように配置されている（なお、前記透明の反射部４ａ’は、前記表示パネル１の表面と接触するように配置するのが望ましい）。この図７Ｂの例では、前記の透明の反射部４ａ’及び支持部１０４は、前記表示パネル１及び筐体５を含む液晶テレビとは別個・独立に、製造・販売することができる。また、図８Ｂの例によっても、図８Ａで説明した本実施例８と同様の作用効果を奏することができる。
【実施例９】
【０１１４】
図９Ａは、本発明の実施例９による、液晶表示素子を使用する背面投射型テレビを示すものである。図９Ａにおいて、１１はスクリーン、１２は映像投射用光源ランプ、１３は映像投射用液晶表示素子、１４は前記表示素子１３からの画像を反射するためのミラー、１５は前記ミラーからの画像を拡大してスクリーン１１に投射するための投射レンズ、１６ａは前記スクリーン１１とユーザー１０との間に配置された遠赤外線放射装置であって遠赤外線を前記スクリーン１１に向けて放射するための遠赤外線放射装置、１７ａは前記スクリーン１１のユーザー側表面に備えられた透明の反射部であって前記遠赤外線放射装置１６ａからの遠赤外線をユーザー１０の方向に反射させるための透明の反射部、１８はこれらを収容・保持するための筐体、２０は前記遠赤外線放射装置１６ａとユーザー１０との間に配置されたテーブル（家具）、である。前記反射部１７ａの構成は前記の図８Ａに関して説明した反射部４ａと同様である。
【０１１５】
この図９Ａの背面投射型テレビでは、前記表示素子１３から投射された画像が、前記ミラー１４及び投射レンズ１５を介して、ユーザーに見えるようにスクリーン１１に表示される。そして、この画像が前記スクリーン１１に表示されているとき、同時に、前記遠赤外線放射装置１６ａからの遠赤外線が前記スクリーン１１の表面に存在する透明の反射部１７ａにより反射されてユーザー方向に放射（供給）される。よって、ユーザーは、前記スクリーン１１に表示された画像を見ながら、同時に、前記スクリーン１１側の前記反射部１７ａにより反射された遠赤外線（図９Ａの破線Ａ参照）の輻射熱により身体を温めることができる。
【０１１６】
図９Ａに示す例では、前述のように、ユーザー１０と遠赤外線放射装置１６ａとの間にテーブル２０が存在する。そのため、前記遠赤外線放射装置１６ａからの遠赤外線を直接にユーザー１０に放射しようとしても、前記遠赤外線放射装置１６ａからの遠赤外線は、前記テーブル２０が障害物となって、ユーザー１０側にほとんど放射できない。これに対して、図９Ａの例では、前述のようなテーブル２０が存在している場合でも、前記遠赤外線放射装置１６ａからの遠赤外線が、前記スクリーン１１の表面の反射部１７ａで反射されることにより、前記テーブル２０に邪魔されることなく、ユーザー１０側に放射される。一般に、テレビの表示面とユーザー１０との間には障害物は存在しない（そうでないと、ユーザー１０はテレビ画面を障害なく視聴することができない）ので、図９Ａの例のようにテレビの表示面に形成された反射部１７ａを使用することにより、前記遠赤外線放射装置１６ａからの遠赤外線を確実にユーザー１０に放射することができる。
【０１１７】
次に、図９Ｂは図９Ａで説明した本実施例９の変形例を示すものである。図９Ｂの例では、前記遠赤外線放射装置１６ａからの遠赤外線をユーザー側に反射させるための透明の反射部であって、表面に遠赤外線反射塗料がコーティングされた透明板、又は、表面に透明の遠赤外線反射フィルムが貼られた透明板により構成される透明の反射部１７ａ’が、脚部兼用の支持部１０５に支持されて、前記筐体１８に支持された表示パネル１１の近傍の位置に、配置されている。そして、前記の透明の反射部１７ａ’は、前記支持部１０５により、前記表示パネル１１の表面の近傍の位置に、これと対向又は接触するように配置されている（なお、前記透明の反射部１７ａ’は、前記表示パネル１１の表面と接触するように配置するこが望ましい）。この図９Ｂの例では、前記の透明の反射部１７ａ’及び支持部１０５は、前記表示パネル１１及び筐体１８を含む液晶テレビとは別個・独立に、製造・販売することができる。また、図９Ｂの例によっても、図９Ａで説明した本実施例９と同様の作用効果を奏することができる。
【実施例１０】
【０１１８】
図１０Ａは、本発明の実施例１０による、フロント・プロジェクターを使用するホームシアター装置を示すものである。図１０Ａにおいて、２０はテーブル（家具）、２１はスクリーン、２２はこのスクリーン２１のユーザー側表面に備えられた反射部（この反射部２２の構成は、前記の図８Ａに関して説明した反射部４ａとほぼ同様のものである）、２３は前記スクリーン２１の前面側すなわちユーザー側に配置されたフロント・プロジェクター（画像をスクリーン２１に投射するもの）、２４は前記フロント・プロジェクター２３の上方に配置され遠赤外線を前記スクリーン２１方向に放出するための遠赤外線放射装置、２５は前記スクリーン２１を支持するためのスクリーン支持部である。なお、前記スクリーン支持部２５は、本実施例９では床に設置されて図示下方からスクリーン２１を支持するタイプのものを使用しているが、本発明では、天井に設置されて図示上方からスクリーン２１を吊り下げて支持するタイプのものでもよい。
【０１１９】
この図１０Ａのホームシアター装置では、前記フロント・プロジェクター２３から投射された画像がスクリーン２１に表示される。この画像が前記スクリーン２１に表示されているとき、これと同時に、遠赤外線放射装置２４からの遠赤外線は前記スクリーン２１の表面に備えられた前記反射部２２によりユーザー方向に反射される。よって、ユーザーは、前記スクリーン２１の画像を見ながら、同時に、前記スクリーン２１の表面の反射部２２からの遠赤外線の輻射熱により身体を温めることができる。
【０１２０】
図１０Ａに示す例では、前述のように、ユーザー１０と遠赤外線放射装置２４との間にテーブル２０が存在している。そのため、前記遠赤外線放射装置２４からの遠赤外線を直接にユーザー１０に放射しようとしても、前記遠赤外線放射装置２４からの遠赤外線は、前記テーブル２０が障害物となって、ユーザー１０側にほとんど放射できない。これに対して、本実施例１０では、前述のようなテーブル２０が存在しているような場合でも、遠赤外線放射装置２４からの遠赤外線が、前記スクリーン２１の表面の反射部２２で反射されることにより、前記テーブル２０に邪魔されることなく、ユーザー１０側に確実に放射される。一般に、ホームシアター装置のスクリーン２１の表示面とユーザー１０との間の空間には障害物は存在しない（そうでないと、ユーザー１０はテレビ画面を障害なく視聴することができない）ので、本実施例５のようにホームシアターの表示面に形成された反射部２２を使用することにより、前記遠赤外線放射装置２４からの遠赤外線を確実にユーザー１０に放射することができる。
【０１２１】
次に、図１０Ｂは図１０Ａで説明した本実施例１０の変形例を示すものである。図１０Ｂの例では、前記遠赤外線放射装置２４からの遠赤外線をユーザー側に反射させるための透明の反射部であって、表面に遠赤外線反射塗料がコーティングされた透明板、又は、表面に透明の遠赤外線反射フィルムが貼られた透明板により構成される透明の反射部２２ａが、脚部兼用の支持部１０６に支持されて、前記スクリーン２１の近傍の位置に、配置されている。そして、前記の透明の反射部２２ａは、前記支持部１０６により、前記スクリーン２１の表面の近傍の位置に、これと対向又は接触するように配置されている（なお、前記透明の反射部２２ａは、前記スクリーン２１の表面と近接するように配置するのが望ましい）。この図１０Ｂの例では、前記の透明の反射部２２ａ及び支持部１０６は、前記スクリーン２１及び支持部２５とは別個・独立に、製造・販売することができる。また、図１０Ｂの例によっても、図１０Ａで説明した本実施例１０と同様の作用効果を奏することができる。なお、図１０Ｂの支持部１０６は、図示のように建物の床に載置することに代えて、天井に設置して、この天井に設置した支持部１０６により反射部２２ａを吊り下げるようにしてもよい。
【実施例１１】
【０１２２】
図１１は本発明の実施例１１による液晶テレビを示すものである。図１１において、３１は液晶表示パネル、２はバックライト、３２は前記表示パネル３１のユーザー側表面に備えられた透明の反射部、３４ａ，３４ｂは前記表示パネル３１の外周に形成された支持部３５の複数箇所にそれぞれ配置された遠赤外線放射装置、５はこれらを収容・支持するための筐体、である。前記遠赤外線放射装置３４ａ，３４ｂは、前記表示パネル３１の外周の支持部３５から前記表示パネル３１に向けて、図示のように斜め方向から遠赤外線を放射するように構成されている。
【０１２３】
この図１１の液晶テレビでは、画像が表示パネル３１に表示されているとき、これと同時に、遠赤外線放射装置３４ａ，３４ｂからの遠赤外線が前記表示パネル３１の表面に備えられた前記反射部３２によりユーザー方向に反射される。よって、ユーザー１０は、前記表示パネル３１の画像を見ながら、同時に、前記表示パネル３１の表面の反射部３２により反射された遠赤外線の輻射熱により身体を温めることができる。
【０１２４】
以上、本発明の各実施例を説明したが、本発明はこれらに限定されるものではなく様々な変更が可能である。例えば、前記の実施例８，９，１０では、反射部４ａ，１７ａ，２２，３２は前記表示パネル１，３２又はスクリーン１１，２１のユーザー側表面に備えられるようにしているが、本発明では、前記反射部４ａ，１７ａ，２２，３２を前記表示パネル１，３２又はスクリーン１１，２１のユーザー側表面ではなくユーザーと反対側（ユーザーから離れる側＝筐体の内部側）に備えることも可能である。また、本発明では、前記反射部４ａ，１７ａ，２２，３２のユーザー側の表面に透明で遠赤外線を透過可能な保護膜その他の膜をコーティングしたり、前記反射部４ａ，１７ａ，２２，３２のユーザー側の表面に透明で遠赤外線を透過可能な保護フィルムを貼付したりすることも可能である。また、本発明の全ての実施例について、前記の図１Ｂ（ａ）−（ｃ）の装置を付加できる。
【０１２５】
また、前記実施例１などにおいては、前記赤外線ランプ４１から発生した光をそのまま前記導光板４４に供給しているが、本発明においては、前記赤外線ランプ４１から発生した光を、いったん「可視光を遮断して赤外線のみを通過させるフィルタ」に通して、赤外線のみを導光板４４に供給するようにしてもよい。このようにすれば、可視光がユーザー１０側に供給されることが防止されるので、ユーザーに「可視光による眩しさ」を与えることを防止することができる。なお、「可視光を遮断して赤外線のみを通過させるフィルタ」は、例えば、特許第２８７３４２７号公報の「赤外線を透過させながら可視光線を反射（遮断）させる（赤外線の透過率が可視光線の透過率よりも高い）可視光線遮断フィルタ」に説明されているように、既に公知である。
【０１２６】
また、前記の実施例４（図４Ａ，４Ｂ参照）においては、前記透明赤外線放射体５３とは別個に備えられた前記透明加熱体（ヒーター）５２により前記透明赤外線放射体５３を加熱して赤外線を発生させるようにしている。また、前記の実施例５（図５Ａ，５Ｂ参照）においては、前記透明赤外線放射体５３ａが導電性を有するように構成され、外部から供給される電流により自ら発熱して赤外線を発生するようにしている。これに対して、本発明においては、例えば、「前記液晶表示パネル３１や前記液晶表示パネル３１を含むテレビに内蔵されたＣＰＵ（中央処理装置）などの部品の熱（廃熱）が公知の熱伝導体により前記の図４Ａの透明赤外線放射体５３に効率的に伝導されるようにしておき、前記熱（廃熱）によって（前記透明加熱体５２と共に、又は、前記透明加熱体５２に代えて）前記透明赤外線放射体５３を加熱する」ようにしてもよい。あるいは、本発明では、前記の部品の熱（廃熱）が公知の熱伝導体により前記の図５Ａの透明赤外線放射体５３ａに効率的に伝導されるようにしておき、前記熱（廃熱）によって（前記透明赤外線放射体５３ａを流れる電流による発熱と共に、又は、この電流による発熱に代えて）前記透明赤外線放射体５３から赤外線を発生させる」ようにしてもよい。
【０１２７】
また、前記の実施例１では、図１Ｂにおいて、画面表示部に画面（映像など）が表示されているかどうかを検知・判定するためのセンサとして、前記照度センサ１１１を例示したが、本発明では、照度センサ１１１に限られるものではなく、例えば画面表示部への電源供給の有無を検知する手段などによっても、上記の検知・判定を行うことができる。
【０１２８】
また、本発明においては、図１Ｂの構成において、前記照度センサ１１１に代えて、室内の温度を測定する温度センサを設置しておき、この温度センサからの出力に基づいて赤外線ランプ４１などを制御するようにしてもよい。このようにすれば、例えば、室内の温度が所定の温度より低い場合だけ前記赤外線ランプ４１を作動させて赤外線を発生させることが可能になる。以上のように構成したときは、前記赤外線ランプ４１などにより構成される赤外線放出部から暖房用の赤外線を放出するかどうか（例えば、赤外線ランプ４１に電源を供給するかどうか）を、前記照度センサ１１１などの検出手段による「表示面に画面（画像など）が表示されているかどうか」の検出結果と連動させるようにすることができる。
【０１２９】
また、前記各実施例では、画面表示部として液晶表示装置やスクリーンを備えたテレビなどを例示したが、本発明の画面表示部は、パーソナル・コンピュータのディスプレイ、ＤＶＤプレーヤのディスプレイ、携帯電話などの携帯型情報機器のディスプレイなど、様々なディスプレイを含む。特に、携帯電話などの携帯型情報機器のディスプレイに本発明を適用した場合、例えば前記の実施例４，５などの「透明ヒーターと透明なシート状の赤外線放射体との組合せ」又は「導電性を有する（自らが発熱できる）透明なシート状の赤外線放射体」を携帯型情報機器のディスプレイに取り付けた場合は、その携帯型情報機器のディスプレイから暖房用赤外線を放出させることができるので、ユーザーが戸外でも手軽に利用できる携帯型の暖房装置を実現できる。
【０１３０】
また、本発明では、前記画面表示部を構成するテレビなどの表示装置に回動用の駆動部を備えると共にユーザーの居る方向を検出するための人感センサを備えておき、前記人感センサで検知したユーザーの居る方向に前記表示装置の画面を対向させるように前記回動用の駆動部を制御するようにすれば、常に、ユーザーの居る方向に向けて、画面と暖房用の赤外線との双方を一緒に提供することができる。
【図面の簡単な説明】
【０１３１】
【図１Ａ】本発明の実施例１による液晶テレビを示す図。
【図１Ｂ】本発明の実施例１に付加できる制御装置を説明するための図
【図１Ｃ】本発明の実施例１の変形例による液晶テレビを示す図。
【図２】本発明の実施例２による液晶テレビを示す図。
【図３Ａ】本発明の実施例３による液晶テレビを示す図。
【図３Ｂ】本発明の実施例３の変形例による液晶テレビを示す図。
【図４Ａ】本発明の実施例４による液晶テレビを示す図。
【図４Ｂ】本発明の実施例４の変形例による液晶テレビを示す図。
【図５Ａ】本発明の実施例５による液晶テレビを示す図。
【図５Ｂ】本発明の実施例５の変形例による液晶テレビを示す図。
【図６】本発明の実施例６による液晶テレビを示す図。
【図７】本発明の実施例７による背面投射型テレビを示す図。
【図８Ａ】本発明の実施例８による液晶テレビを示す図。
【図８Ｂ】本発明の実施例８の変形例による液晶テレビを示す図。
【図９Ａ】本発明の実施例９による背面投射型テレビを示す図。
【図９Ｂ】本発明の実施例９の変形例による背面投射型テレビを示す図。
【図１０Ａ】本発明の実施例１０によるホームシアター装置を示す図。
【図１０Ｂ】本発明の実施例１０の変形例によるホームシアター装置を示す図。
【図１１】本発明の実施例１１による液晶テレビを示す図。
【符号の説明】
【０１３２】
１，３１             液晶表示パネル
２          バックライト
３，３ａ             遠赤外線放射装置
４，４ａ，４ａ’，１７ａ，１７ａ’，２２，２２ａ，３２          反射部
７，８，２５，２６，３５，３６           遠赤外線放射パネル
１０      ユーザー
１１，２１         スクリーン
１６      遠赤外線反射面
１６，１６ａ，２４，３４，３４ａ，３４ｂ      遠赤外線放射装置
２０      テーブル
２３      フロント・プロジェクター
３１      表示パネル
３１ａ  表示パネル制御装置
３５      支持部
４０      筐体
４１      赤外線ランプ
４１ａ  電源制御装置
４２      集光レンズ
４４      導光板
４５，５４         反射板
４５      拡散シート
４６      拡散シート
４７      プリズムシート
４８      反射板
５１      透明赤外線反射体
５２      透明加熱体
５３，５３ａ     透明赤外線放射体
１０１，１０２，１０３，１０４，１０５，１０６        支持部
１１１  照度センサ
１１２，１１２ａ           リモートコントローラ
Ａ          赤外線
Ｂ          反射プリズム
【図１Ａ】
2005337697.tif 000003
【図１Ｂ】
2005337697.tif 000004
【図１Ｃ】
2005337697.tif 000005
【図２】
2005337697.tif 000006
【図３Ａ】
2005337697.tif 000007
【図３Ｂ】
2005337697.tif 000008
【図４Ａ】
2005337697.tif 000009
【図４Ｂ】
2005337697.tif 000010
【図５Ａ】
2005337697.tif 000011
【図５Ｂ】
2005337697.tif 000012
【図６】
2005337697.tif 000013
【図７】
2005337697.tif 000014
【図８Ａ】
2005337697.tif 000015
【図８Ｂ】
2005337697.tif 000016
【図９Ａ】
2005337697.tif 000017
【図９Ｂ】
2005337697.tif 000018
【図１０Ａ】
2005337697.tif 000019
【図１０Ｂ】
2005337697.tif 000020
【図１１】
2005337697.tif 000021
【手続補正書】
【提出日】平成17年1月20日(2005.1.20)
【手続補正１】
【補正対象書類名】特許請求の範囲
【補正対象項目名】全文
【補正方法】変更
【補正の内容】
【特許請求の範囲】
【請求項１】
「映像などの画面を表示するための画面表示部の表示面と略平行でこれと対向又は接触する『面』」を有する部材（例えば、シート状又はフィルム状の部材）に供給されるべき赤外線を発生する赤外線発生ステップと、
前記の発生された赤外線を、前記部材の前記「面」の一部又は全部に拡散させ（例えば、シート状又はフィルム状の部材の略全面に拡散させ）、この拡散された赤外線を、暖房用の赤外線として、ユーザーの居る方向に向けて放出する赤外線放出ステップと、
を含むことを特徴とする、暖房方法。
【請求項２】
「映像などの画面を表示するための画面表示部の表示面と略平行でこれと対向又は接触する『面』」を有する部材（例えば、シート状又はフィルム状の部材）の一部又は全部から（例えば、シート状又はフィルム状の部材の略全体から）赤外線を発生し、この発生した赤外線を、前記部材の前記「面」の一部又は全部から、暖房用の赤外線として、ユーザーの居る方向に向けて放出するようにした、ことを特徴とする、暖房方法。
【請求項３】
請求項１において、
前記赤外線発生ステップは、前記画面表示部が何らかの画面の表示を開始したとき、赤外線の発生を開始するものであり、
さらに、前記赤外線発生ステップにより赤外線を発生している場合において、前記画面表示が画面を表示することを停止したとき、赤外線を発生することを停止する赤外線発生停止ステップを含むことを特徴とする暖房方法。
【請求項４】
請求項２において、
前記画面表示部が何らかの画面の表示を開始したとき、前記赤外線の発生を開始し、その後、前記赤外線が発生されている場合において前記画面表示が画面を表示することを停止したとき、前記赤外線を発生することを停止するようにした、ことを特徴とする暖房方法。
【請求項５】
「映像などの画面を表示するための画面表示部の表示面と略平行でこれと対向又は接触する『面』」を有する部材（例えば、シート状又はフィルム状の部材）に供給されるべき赤外線を発生する（赤外線を前記画面表示部が画面を表示しているとき又は表示していないときに発生する）ための赤外線発生部と、
前記赤外線発生部により発生された赤外線を、前記「面」の一部又は全部に拡散させ（例えば、シート状又はフィルム状の部材の略全面に拡散させ）、この拡散された赤外線を、暖房用の赤外線として、前記「面」の一部又は全部からユーザーの居る方向に向けて放出するための赤外線放出部と、
を備えたことを特徴とする、暖房装置。
【請求項６】
「映像などの画面を表示するための画面表示部の表示面と略平行でこれと対向又は接触する『面』」を有する透明な赤外線放出部であって、前記画面表示部のユーザー側に配置され、（前記画面表示部が画面を表示しているとき又は表示していないときに）前記「面」の一部又は全部から（例えば、シート状又はフィルム状の部材の略全面から）、暖房用の赤外線を、ユーザーの居る方向に向けて放出するための透明な赤外線放出部、を備えたことを特徴とする、暖房装置。
【請求項７】
請求項６において、
前記透明な赤外線放出部は、外部の赤外線発生部から供給された赤外線を、前記「面」の一部又は全部に拡散し（例えば、シート状又はフィルム状の部材の略全面に拡散し）、この拡散した赤外線を、暖房用の赤外線として、前記「面」の一部又は全部からユーザーの居る方向に向けて放出するための透明な導光板を含むものである、ことを特徴とする、暖房装置。
【請求項８】
請求項６において、
前記透明な赤外線放出部は、
前記画面表示部のユーザーに近い側に前記表示面と対向又は接触するように配置され、自らがその一部又は全部から（例えば、シート状又はフィルム状の部材の略全面から）、暖房用の赤外線を発生し、これを前記「面」の一部又は全部からユーザーの居る方向に向けて放射するための面状の（例えば、シート状又はフィルム状の）透明な赤外線放射体と、
前記赤外線放射体と対向又は接触するように配置され、前記赤外線放射体を加熱するための面状の（例えば、シート状又はフィルム状の）透明な発熱体（透明ヒーター）と、
を備えている、ことを特徴とする、暖房装置。
【請求項９】
請求項６において、
前記透明な赤外線放出部は、
導電性を有しており、外部から供給される電流により自らが発熱し、この発熱により、自らがその一部又は全部から暖房用の赤外線を発生し、これを前記「面」の一部又は全部からユーザーの居る方向に向けて放射するための、面状の（例えば、シート状又はフィルム状の）透明な赤外線放射体、により構成されている、ことを特徴とする、暖房装置。
【請求項１０】
画面を表示するための表示装置に備えられた表示パネルのユーザー側に配置され、前記表示パネルに向けて赤外線を放出するための赤外線放出部と、
「前記表示パネルの表示面と略平行でこれと対向又は接触する『面』」を有しており、前記表示パネルのユーザー側に前記表示パネルの表示面と対向又は接触するように配置され、前記表示パネルが画面を表示しているとき又は表示していないとき、前記赤外線放出部からの赤外線を前記「面」の一部又は全部で受けて、それを暖房用の赤外線としてユーザーの居る方向に向けて反射させるための透明な反射部と、
を備えたことを特徴とする、暖房装置。
【請求項１１】
画像を表示するためのスクリーンのユーザーに近い側又はユーザーと反対側に設置された画像投射部であって前記スクリーンに向けて画像を投射するための画像投射部と、
前記スクリーンの前面側すなわち前記スクリーンよりユーザーに近い側に配置され、（前記スクリーンに画面が表示されているとき又は表示されていないときに）前記スクリーンに向けて赤外線を放出するための赤外線放出部と、
「前記スクリーンと略平行でこれと対向又は接触する『面』」を有しており、前記スクリーンのユーザー側に前記スクリーンと対向又は接触するように配置され、前記画像投射部から画像が投射されているとき又は投射されていないとき、前記赤外線放射部からの赤外線を前記「面」の一部又は全部で受けて、それを暖房用の赤外線としてユーザーの居る方向に向けて反射させるための反射部と、
を備えたことを特徴とする、暖房装置。
【請求項１２】
画面を表示するための表示パネルと、
前記表示パネルのユーザーと反対側に配置された、赤外線を放出するための赤外線放出部と、を備え、
前記表示パネルは、画像を表示しているとき又は画像を表示していないとき、前記赤外線放射部からの赤外線を、暖房用の赤外線として、ユーザーの居る方向に透過できるように構成されている、ことを特徴とする、暖房機能付き表示装置。
【請求項１３】
画像を表示するためのスクリーンと、
前記スクリーンの背面側すなわち前記スクリーンのユーザーと反対側から前記スクリーンに向けて画像を投射するための画像投射部と、
前記スクリーンの背面側すなわち前記スクリーンのユーザーと反対側の位置に設置された、赤外線を放出するための赤外線放出部と、を備え、
前記スクリーンは、前記表示投射部から画像が投射されているとき又は投射されていないとき、前記赤外線放射部からの赤外線を、暖房用の赤外線として、ユーザーの居る方向に透過させることができるように構成されている、ことを特徴とする、暖房機能付き表示装置。
【請求項１４】
画像などの画面を表示するための表示パネルであって、
赤外線をユーザーの居る方向に向けて反射させるための透明な反射部であって、「前記表示パネルの表示面と略平行でこれと対向又は接触する『面』」を有しており、前記表示パネルのユーザー側に前記表示パネルの表示面と対向又は接触するように配置され、前記表示パネルが画面を表示しているとき又は表示していないとき、前記表示パネルのユーザー側に配置された赤外線放出部からの赤外線を前記「面」の一部又は全部で受けて、それを暖房用の赤外線としてユーザーの居る方向に反射できるように構成された透明な反射部、
を含むことを特徴とする暖房機能付き表示パネル。
【請求項１５】
画像などの画面を表示するためのスクリーンであって、
赤外線をユーザーの居る方向に向けて反射させるための反射部であって、「前記スクリーンと略平行でこれと対向又は接触する『面』」を有しており、前記スクリーンのユーザー側に前記スクリーンと対向又は接触するように配置され、前記スクリーンが画像を表示しているとき又は表示していないとき、前記スクリーンのユーザー側に配置された赤外線放射部からの赤外線を前記「面」の一部又は全部で受けて、それを暖房用の赤外線としてユーザーの居る方向に反射できるように構成された反射部、
を含むことを特徴とする暖房機能付きスクリーン。
【請求項１６】
請求項６から１５までのいずれかにおいて、
前記赤外線発生部、前記赤外線放出部、又は前記赤外線放射体は、前記画面表示部が何らかの画面を表示しているときだけ赤外線を発生、放出又は放射するように構成されている、ことを特徴とする暖房装置。
【請求項１７】
請求項６から１５までのいずれかにおいて、
前記赤外線発生部、前記赤外線放出部、又は前記赤外線放射体は、赤外線を発生、放出又は放射している場合でも、前記画面表示部が画面の表示を停止したときは、自動的に赤外線の発生、放出又は放射を停止するように構成されている、ことを特徴とする暖房装置。
【請求項１８】
請求項６から１５までのいずれかにおいて、
前記の画面表示部、表示パネル又はスクリーンが画面を表示しているかどうかを検知するための画面検知手段と、
前記画面検知手段からの出力に基づいて前記赤外線発生部、前記赤外線放出部、又は前記赤外線放射体による赤外線の「発生、放出又は放射」又はその停止を制御するための制御手段と、
を備えたことを特徴とする暖房装置。
【請求項１９】
請求項６から１５までのいずれかにおいて、
「前記の画面表示部、表示パネル又はスクリーン」又はこれらの画面を視聴するユーザーの周辺の温度を検出するための温度検出手段と、
前記温度検出手段からの出力に基づいて前記赤外線発生部、前記赤外線放出部、又は前記赤外線放射体による赤外線の「発生、放出又は放射」又はその停止を制御するための制御手段と、
を備えたことを特徴とする暖房装置。
【請求項２０】
請求項６から１５までのいずれかにおいて、
ユーザーが手元で前記の画面表示部、表示パネル又は画像投射部に対する制御情報を近赤外線により無線送信できるリモートコントーラを備え、
前記赤外線発生部、前記赤外線放出部、又は前記赤外線放射体は、主として遠赤外線をユーザー方向に放出し、近赤外線は全く又はほとんど放出しないように構成されている、ことを特徴とする、暖房装置。
【請求項２１】
請求項６から１５までのいずれかにおいて、
ユーザーが手元で前記の画面表示部、表示パネル又は画像投射部に対する制御情報を電波により無線送信できるリモートコントーラを備え、
前記赤外線発生部、前記赤外線放出部、又は前記赤外線放射体は、遠赤外線と近赤外線の両方を放出するものである、ことを特徴とする、暖房装置。
【請求項２２】
請求項６から１５までのいずれかにおいて、
ユーザーが手元で前記の画面表示部、表示パネル又は画像投射部に対する制御情報を近赤外線により無線送信できるリモートコントーラを備え、
前記反射部は、遠赤外線を主として反射し、近赤外線は全く又はほとんど反射させないように構成されている、ことを特徴とする、暖房装置。
【請求項２３】
請求項６から１５までのいずれかにおいて、
ユーザーが手元で前記の画面表示部、表示パネル又は画像投射部に対する制御情報を電波により無線送信できるリモートコントーラを備え、
前記反射部は、遠赤外線と近赤外線の両方を反射するものである、ことを特徴とする、暖房装置。
【手続補正２】
【補正対象書類名】明細書
【補正対象項目名】００１２
【補正方法】変更
【補正の内容】
【００１２】
２．「映像などの画面を表示するための画面表示部の表示面と略平行でこれと対向又は接触する『面』」を有する部材（例えば、シート状又はフィルム状の部材）の一部又は全部から（例えば、シート状又はフィルム状の部材の略全体から）赤外線を発生し、前記発生した赤外線を、前記部材の前記「面」の一部又は全部から、暖房用の赤外線として、ユーザーの居る方向に向けて放出するようにした、ことを特徴とする、暖房方法。
【手続補正３】
【補正対象書類名】明細書
【補正対象項目名】００１３
【補正方法】変更
【補正の内容】
【００１３】
３．上記１において、前記赤外線発生ステップは、前記画面表示部が何らかの画面の表示を開始したとき、赤外線の発生を開始するものであり、さらに、前記赤外線発生ステップにより赤外線を発生している場合に、前記画面表示が画面を表示することを停止したとき、赤外線を発生することを停止する赤外線発生停止ステップを含むことを特徴とする暖房方法。
【手続補正４】
【補正対象書類名】明細書
【補正対象項目名】００１４
【補正方法】変更
【補正の内容】
【００１４】
４．上記２において、前記画面表示部が何らかの画面の表示を開始したとき、前記赤外線の発生を開始し、その後、前記赤外線が発生している場合において前記画面表示が画面を表示することを停止したとき、前記赤外線を発生することを停止するようにした、ことを特徴とする暖房方法。